(57)【要約】【課題】消費電力を低減することができるとともに、最新の印刷装置の状態に対応する画像補正データを取得することができる印刷システムを提供する。【解決手段】通信端末１２によって定期的に行なわれる画像補正データの取得要求がなされた場合、印刷装置１０は、印刷装置１０の状態が、通常モード又は第１の省エネモードである場合には、画像補正データの送信を行なう。通信端末１２によって定期的に行なわれる画像補正データの取得が失敗した状態である場合には、印刷装置１０は、通信端末１２が印刷データの生成を行なう際に、通信端末１２に対する画像補正データの送信を行なうようにする。【選択図】図４
2012027638.tif 000002
【特許請求の範囲】
【請求項１】
画像補正データに基づく画像補正処理を行なって印刷データを生成する通信端末と、前記印刷データに基づく印刷処理を行なう印刷装置と、を含む印刷システムにおいて、
前記通信端末は、
予め定める所定時間毎に、前記印刷装置に対し、前記画像補正データを取得可能であるか否かを問合せる問合せ手段と、
前記問合せに対する判定結果が、前記画像補正データを取得可能であることを示す場合に、前記印刷装置から送信される画像補正データを受信する第１のデータ受信手段と、
前記第１のデータ受信手段が前記画像補正データを受信したことに応答して、画像補正データの取得状態を成功に設定する第１の設定手段と、
前記印刷データの生成を要求する指示を受付ける指示受付手段と、
前記指示受付手段が前記指示を受付けたことに応答して、画像補正データの取得状態が成功であるか否かを判定する取得状態判定手段と、
前記取得状態判定手段によって、画像補正データの取得状態が成功でないと判定された場合に、前記印刷装置に対し、前記画像補正データの送信を要求する第１の要求手段と、
前記第１の要求手段による前記要求に応答して、前記印刷装置から送信される画像補正データを受信する第２のデータ受信手段と、を含み、
前記印刷装置は、
前記問合せ手段による前記問合せを受付ける問合せ受付手段と、
前記問合せ受付手段が前記問合せを受付けたことに応答して、当該印刷装置の状態が、前記通信端末に対する画像補正データの送信が可能な状態であるか否かを判定する第１の判定手段と、
前記第１の判定手段によって、当該印刷装置の状態が、前記通信端末に対する画像補正データの送信が可能な状態であると判定された場合に、前記通信端末に対し、前記画像補正データを送信する第１のデータ送信手段と、
前記第１の要求手段による前記要求を受付ける第１の要求受付手段と、
前記第１の要求受付手段が前記要求を受付けたことに応答して、当該印刷装置の状態が、前記通信端末に対する画像補正データの送信が可能な状態であるか否かを判定する第２の判定手段と、
前記第２の判定手段によって、当該印刷装置の状態が、前記通信端末に対する画像補正データの送信が可能な状態でないと判定された場合に、当該印刷装置の状態を、画像補正データの送信が可能な状態に遷移させる遷移手段と、
前記第２の判定手段によって、当該印刷装置の状態が、前記通信端末に対する画像補正データの送信が可能な状態であると判定された場合、又は、前記遷移手段によって状態の遷移が行なわれた場合に、前記通信端末に対し、前記画像補正データを送信する第２のデータ送信手段と、を含む、印刷システム。
【請求項２】
画像補正データに基づく画像補正処理を行なって印刷データを生成する通信端末と、前記印刷データに基づく印刷処理を行なう印刷装置と、を含む印刷システムにおいて、
前記通信端末は、
予め定める所定時間毎に、前記印刷装置に対し、前記画像補正データを取得可能であるか否かを問合せる問合せ手段と、
前記問合せに対する判定結果が、前記画像補正データを取得可能であることを示す場合に、前記印刷装置から送信される画像補正データを受信する第１のデータ受信手段と、
前記第１のデータ受信手段が前記画像補正データを受信したことに応答して、画像補正データの取得状態を成功に設定する第１の設定手段と、
前記印刷データの生成を要求する指示を受付ける指示受付手段と、
前記指示受付手段が前記指示を受付けたことに応答して、画像補正データの取得状態が成功であるか否かを判定する取得状態判定手段と、
前記取得状態判定手段によって、画像補正データの取得状態が成功でないと判定された場合に、前記印刷装置に対し、当該印刷装置の状態を画像補正データの送信が可能な状態に遷移させることを命令する命令手段と、
前記命令手段による前記命令後に、前記印刷装置に対し、前記画像補正データの送信を要求する第１の要求手段と、
前記第１の要求手段による前記要求に応答して、前記印刷装置から送信される画像補正データを受信する第２のデータ受信手段と、を含み、
前記印刷装置は、
前記問合せ手段による前記問合せを受付ける問合せ受付手段と、
前記問合せ受付手段が前記問合せを受付けたことに応答して、当該印刷装置の状態が、前記通信端末に対する画像補正データの送信が可能な状態であるか否かを判定する第１の判定手段と、
前記第１の判定手段によって、当該印刷装置の状態が、前記通信端末に対する画像補正データの送信が可能な状態であると判定された場合に、前記通信端末に対し、前記画像補正データを送信する第１のデータ送信手段と、
前記命令手段による前記命令を受付ける命令受付手段と、
前記命令受付手段が前記命令を受付けたことに応答して、当該印刷装置の状態が、前記通信端末に対する画像補正データの送信が可能な状態であるか否かを判定する第２の判定手段と、
前記第２の判定手段によって、当該印刷装置の状態が、前記通信端末に対する画像補正データの送信が可能な状態でないと判定された場合に、当該印刷装置の状態を、画像補正データの送信が可能な状態に遷移させる遷移手段と、
前記第１の要求手段による前記要求を受付ける第１の要求受付手段と、
前記第１の要求受付手段が前記要求を受付けたことに応答して、前記通信端末に対し、前記画像補正データを送信する第２のデータ送信手段と、を含む、印刷システム。
【請求項３】
前記通信端末はさらに、
前記印刷装置から送信される前記問合せに対する判定結果を受付ける判定結果受付手段と、
前記判定結果受付手段が受付けた前記問合せに対する判定結果が、前記画像補正データを取得可能であることを示す場合に、前記印刷装置に対し、画像補正データの送信を要求する第２の要求手段と、を含み、
前記印刷装置はさらに、
前記第１の判定手段によって、当該印刷装置の状態が、前記通信端末に対する画像補正データの送信が可能な状態であると判定された場合に、前記通信端末に対し、前記問合せに対する判定結果として、前記画像補正データを取得可能であることを示す情報を送信する第１の結果送信手段と、
前記第２の要求手段による前記要求を受付ける第２の要求受付手段と、を含み、
前記第１のデータ送信手段は、前記第２の要求受付手段が前記要求を受付けたことに応答して、前記通信端末に対し、前記画像補正データを送信する、請求項１又は請求項２に記載の印刷システム。
【請求項４】
前記通信端末はさらに、
前記判定結果受付手段が受付けた前記問合せに対する判定結果が、前記画像補正データを取得可能でないことを示す場合に、画像補正データの取得状態を失敗に設定する第２の設定手段を含み、
前記印刷装置はさらに、
前記第１の判定手段によって、当該印刷装置の状態が、前記通信端末に対する画像補正データの送信が可能な状態でないと判定された場合に、前記通信端末に対し、前記問合せに対する判定結果として、前記画像補正データを取得可能でないことを示す情報を送信する第２の結果送信手段を含む、請求項３に記載の印刷システム。
【請求項５】
画像補正データに基づく画像補正処理を行なって印刷データを生成する通信端末と、前記印刷データに基づく印刷処理を行なう印刷装置と、を含む印刷システムにおいて、
前記通信端末は、
予め定める所定時間毎に、前記印刷装置に対し、前記画像補正データの送信を要求する第１の要求手段と、
前記第１の要求手段による前記要求に応答して、前記印刷装置から送信される画像補正データを受信する第１のデータ受信手段と、
前記第１のデータ受信手段によって受信された前記画像補正データを解析し、解析結果に基づいて、前記画像補正データが有効であるか否かを判定する解析判定手段と、
前記解析判定手段によって、前記画像補正データが有効であると判定された場合に、画像補正データの取得状態を成功に設定する第１の設定手段と、
前記印刷データの生成を要求する指示を受付ける指示受付手段と、
前記指示受付手段が前記指示を受付けたことに応答して、画像補正データの取得状態が成功であるか否かを判定する取得状態判定手段と、
前記取得状態判定手段によって、画像補正データの取得状態が成功でないと判定された場合に、前記印刷装置に対し、当該印刷装置の状態を画像補正データの送信が可能な状態に遷移させることを命令する命令手段と、
前記命令手段による前記命令後に、前記印刷装置に対し、前記画像補正データの送信を要求する第２の要求手段と、
前記第２の要求手段による前記要求に応答して、前記印刷装置から送信される画像補正データを受信する第２のデータ受信手段と、を含み、
前記印刷装置は、
前記第１の要求手段による前記要求を受付ける第１の要求受付手段と、
前記第１の要求受付手段が前記要求を受付けたことに応答して、当該印刷装置の状態が、前記通信端末に対する画像補正データの送信が可能な状態であるか否かを判定する第１の判定手段と、
前記第１の判定手段によって、当該印刷装置の状態が、前記通信端末に対する画像補正データの送信が可能な状態であると判定された場合に、前記通信端末に対し、有効に設定される前記画像補正データを送信する第１のデータ送信手段と、
前記命令手段による前記命令を受付ける命令受付手段と、
前記命令受付手段が前記命令を受付けたことに応答して、当該印刷装置の状態が、前記通信端末に対する画像補正データの送信が可能な状態であるか否かを判定する第２の判定手段と、
前記第２の判定手段によって、当該印刷装置の状態が、前記通信端末に対する画像補正データの送信が可能な状態でないと判定された場合に、当該印刷装置の状態を、画像補正データの送信が可能な状態に遷移させる遷移手段と、
前記第２の要求手段による前記要求を受付ける第２の要求受付手段と、
前記第２の要求受付手段が前記要求を受付けたことに応答して、前記通信端末に対し、前記画像補正データを送信する第２のデータ送信手段と、を含む、印刷システム。
【請求項６】
前記印刷装置はさらに、
前記第１の判定手段によって、当該印刷装置の状態が、前記通信端末に対する画像補正データの送信が可能な状態でないと判定された場合に、前記通信端末に対し、無効に設定される前記画像補正データを送信する第３のデータ送信手段を含み、
前記通信端末はさらに、
前記解析判定手段によって、前記画像補正データが有効でないと判定された場合に、画像補正データの取得状態を失敗に設定する第２の設定手段を含む、請求項５に記載の印刷システム。
【請求項７】
前記通信端末に対する画像補正データの送信が可能な状態とは、前記画像補正データの送信処理を実行するためのメインコントローラに対する電力の供給が行なわれている状態であり、前記通信端末に対する画像補正データの送信が可能でない状態とは、前記メインコントローラに対する電力の供給が行なわれていない状態である、請求項１〜請求項６のいずれか１つに記載の印刷システム。
【請求項８】
画像補正データに基づく画像補正処理を行なって印刷データを生成する通信端末と、前記印刷データに基づく印刷処理を行なう印刷装置と、を含む印刷システムにおいて用いられる通信端末であって、
予め定める所定時間毎に、前記印刷装置に対し、前記画像補正データを取得可能であるか否かを問合せる問合せ手段と、
前記印刷装置から送信される前記問合せに対する判定結果が、前記画像補正データを取得可能であることを示す場合に、前記印刷装置から送信される画像補正データを受信する第１のデータ受信手段と、
前記第１のデータ受信手段が前記画像補正データを受信したことに応答して、画像補正データの取得状態を成功に設定する第１の設定手段と、
前記印刷データの生成を要求する指示を受付ける指示受付手段と、
前記指示受付手段が前記指示を受付けたことに応答して、画像補正データの取得状態が成功であるか否かを判定する取得状態判定手段と、
前記取得状態判定手段によって、画像補正データの取得状態が成功でないと判定された場合に、前記印刷装置に対し、前記画像補正データの送信を要求する第１の要求手段と、
前記第１の要求手段による前記要求に応答して、前記印刷装置から送信される画像補正データを受信する第２のデータ受信手段と、を含む、通信端末。
【請求項９】
画像補正データに基づく画像補正処理を行なって印刷データを生成する通信端末と、前記印刷データに基づく印刷処理を行なう印刷装置と、を含む印刷システムにおいて用いられる印刷装置であって、
予め定める所定時間毎に、前記通信端末から送信される、前記画像補正データを取得可能であるか否かの問合せを受付ける問合せ受付手段と、
前記問合せ受付手段が前記問合せを受付けたことに応答して、当該印刷装置の状態が、前記通信端末に対する画像補正データの送信が可能な状態であるか否かを判定する第１の判定手段と、
前記第１の判定手段によって、当該印刷装置の状態が、前記通信端末に対する画像補正データの送信が可能な状態であると判定された場合に、前記通信端末に対し、前記画像補正データを送信する第１のデータ送信手段と、
前記通信端末から送信される、前記画像補正データを送信することを要求する要求を受付ける第１の要求受付手段と、
前記第１の要求受付手段が前記要求を受付けたことに応答して、当該印刷装置の状態が、前記通信端末に対する画像補正データの送信が可能な状態であるか否かを判定する第２の判定手段と、
前記第２の判定手段によって、当該印刷装置の状態が、前記通信端末に対する画像補正データの送信が可能な状態でないと判定された場合に、当該印刷装置の状態を、画像補正データの送信が可能な状態に遷移させる遷移手段と、
前記第２の判定手段によって、当該印刷装置の状態が、前記通信端末に対する画像補正データの送信が可能な状態であると判定された場合、又は、前記遷移手段によって状態の遷移が行なわれた場合に、前記通信端末に対し、前記画像補正データを送信する第２のデータ送信手段と、を含む、印刷装置。
【請求項１０】
画像補正データに基づく画像補正処理を行なって印刷データを生成する通信端末と、前記印刷データに基づく印刷処理を行なう印刷装置と、を含む印刷システムにおいて用いられる通信端末であって、
予め定める所定時間毎に、前記印刷装置に対し、前記画像補正データを取得可能であるか否かを問合せる問合せ手段と、
前記印刷装置から送信される前記問合せに対する判定結果が、前記画像補正データを取得可能であることを示す場合に、前記印刷装置から送信される画像補正データを受信する第１のデータ受信手段と、
前記第１のデータ受信手段が前記画像補正データを受信したことに応答して、画像補正データの取得状態を成功に設定する第１の設定手段と、
前記印刷データの生成を要求する指示を受付ける指示受付手段と、
前記指示受付手段が前記指示を受付けたことに応答して、画像補正データの取得状態が成功であるか否かを判定する取得状態判定手段と、
前記取得状態判定手段によって、画像補正データの取得状態が成功でないと判定された場合に、前記印刷装置に対し、当該印刷装置の状態を画像補正データの送信が可能な状態に遷移させることを命令する命令手段と、
前記命令手段による前記命令後に、前記印刷装置に対し、前記画像補正データの送信を要求する第１の要求手段と、
前記第１の要求手段による前記要求に応答して、前記印刷装置から送信される画像補正データを受信する第２のデータ受信手段と、を含む、通信端末。
【請求項１１】
画像補正データに基づく画像補正処理を行なって印刷データを生成する通信端末と、前記印刷データに基づく印刷処理を行なう印刷装置と、を含む印刷システムにおいて用いられる印刷装置であって、
予め定める所定時間毎に、前記通信端末から送信される、前記画像補正データを取得可能であるか否かの問合せを受付ける問合せ受付手段と、
前記問合せ受付手段が前記問合せを受付けたことに応答して、当該印刷装置の状態が、前記通信端末に対する画像補正データの送信が可能な状態であるか否かを判定する第１の判定手段と、
前記第１の判定手段によって、当該印刷装置の状態が、前記通信端末に対する画像補正データの送信が可能な状態であると判定された場合に、前記通信端末に対し、前記画像補正データを送信する第１のデータ送信手段と、
前記通信端末から送信される、当該印刷装置の状態を画像補正データの送信が可能な状態に遷移させることを命令する命令を受付ける命令受付手段と、
前記命令受付手段が前記命令を受付けたことに応答して、当該印刷装置の状態が、前記通信端末に対する画像補正データの送信が可能な状態であるか否かを判定する第２の判定手段と、
前記第２の判定手段によって、当該印刷装置の状態が、前記通信端末に対する画像補正データの送信が可能な状態でないと判定された場合に、当該印刷装置の状態を、画像補正データの送信が可能な状態に遷移させる遷移手段と、
前記命令後に前記通信端末から送信される、前記画像補正データを送信することを要求する要求を受付ける第１の要求受付手段と、
前記第１の要求受付手段が前記要求を受付けたことに応答して、前記通信端末に対し、前記画像補正データを送信する第２のデータ送信手段と、を含む、印刷装置。
【請求項１２】
画像補正データに基づく画像補正処理を行なって印刷データを生成する通信端末と、前記印刷データに基づく印刷処理を行なう印刷装置と、を含む印刷システムにおいて用いられる通信端末であって、
予め定める所定時間毎に、前記印刷装置に対し、前記画像補正データの送信を要求する第１の要求手段と、
前記第１の要求手段による前記要求に応答して、前記印刷装置から送信される画像補正データを受信する第１のデータ受信手段と、
前記第１のデータ受信手段によって受信された前記画像補正データを解析し、解析結果に基づいて、前記画像補正データが有効であるか否かを判定する解析判定手段と、
前記解析判定手段によって、前記画像補正データが有効であると判定された場合に、画像補正データの取得状態を成功に設定する第１の設定手段と、
前記印刷データの生成を要求する指示を受付ける指示受付手段と、
前記指示受付手段が前記指示を受付けたことに応答して、画像補正データの取得状態が成功であるか否かを判定する取得状態判定手段と、
前記取得状態判定手段によって、画像補正データの取得状態が成功でないと判定された場合に、前記印刷装置に対し、当該印刷装置の状態を画像補正データの送信が可能な状態に遷移させることを命令する命令手段と、
前記命令手段による前記命令後に、前記印刷装置に対し、前記画像補正データの送信を要求する第２の要求手段と、
前記第２の要求手段による前記要求に応答して、前記印刷装置から送信される画像補正データを受信する第２のデータ受信手段と、を含む、通信端末。
【請求項１３】
画像補正データに基づく画像補正処理を行なって印刷データを生成する通信端末と、前記印刷データに基づく印刷処理を行なう印刷装置と、を含む印刷システムにおいて用いられる印刷装置であって、
予め定める所定時間毎に、前記通信端末から送信される、前記画像補正データを送信することを要求する要求を受付ける第１の要求受付手段と、
前記第１の要求受付手段が前記要求を受付けたことに応答して、当該印刷装置の状態が、前記通信端末に対する画像補正データの送信が可能な状態であるか否かを判定する第１の判定手段と、
前記第１の判定手段によって、当該印刷装置の状態が、前記通信端末に対する画像補正データの送信が可能な状態であると判定された場合に、前記通信端末に対し、有効に設定される前記画像補正データを送信する第１のデータ送信手段と、
前記通信端末から送信される、当該印刷装置の状態を画像補正データの送信が可能な状態に遷移させることを命令する命令を受付ける命令受付手段と、
前記命令受付手段が前記命令を受付けたことに応答して、当該印刷装置の状態が、前記通信端末に対する画像補正データの送信が可能な状態であるか否かを判定する第２の判定手段と、
前記第２の判定手段によって、当該印刷装置の状態が、前記通信端末に対する画像補正データの送信が可能な状態でないと判定された場合に、当該印刷装置の状態を、画像補正データの送信が可能な状態に遷移させる遷移手段と、
前記命令後に前記通信端末から送信される、前記画像補正データを送信することを要求する要求を受付ける第２の要求受付手段と、
前記第２の要求受付手段が前記要求を受付けたことに応答して、前記通信端末に対し、前記画像補正データを送信する第２のデータ送信手段と、を含む、印刷装置。
【発明の詳細な説明】
【技術分野】
【０００１】
本発明は、印刷装置及び通信端末を含む印刷システムに関し、特には、画像補正データの送受信を行なうための技術に関する。
【背景技術】
【０００２】
従来、プリンタドライバがインストールされるＰＣ（Ｐｅｒｓｏｎａｌ  ｃｏｍｐｕｔｅｒ）と、ＰＣから送信される画像データに基づく画像形成を行なうプリンタと、を含む印刷システムがある。このような印刷システムにおいて、プリンタの負荷を軽減するために、ＰＣ側にて画像データに対する画像補正処理及び画素の２値化処理等を行なう技術が知られている。このような技術を用いる場合、プリンタは、キャリブレーション処理によって画像濃度等を調整するための画像補正データを生成し、ＰＣは、生成された画像補正データを用いて画像補正処理を行なう。
【０００３】
電子写真方式のプリンタは、静電力を利用して画像形成を行なうという動作原理上の理由から、温度等の周囲の環境及び装置の使用履歴（寿命）等に応じて画像形成エンジンの特性が変化しやすく、したがって画像形成濃度が変化しやすい。そのため、プリンタによって生成される画像補正データは時間とともに変化しやすく、良好な画像を常に形成するために、ＰＣは、最新のプリンタの状態に対応する画像補正データを取得する必要がある。
【０００４】
最新のプリンタの状態に対応する画像補正データを取得するための方法の１つとして、印刷データを作成する直前に、画像補正データを取得する方法がある。しかし、この方法を用いる場合には、画像補正データの取得に時間を要するために、印刷開始時期が遅れてしまうという問題がある。
【０００５】
最新のプリンタの状態に対応する画像補正データを取得するための他の方法として、画像補正データを定期的に取得する方法がある。この方法を用いる場合には、画像補正データの取得間隔を、プリンタ側にて定期的に行なわれるキャリブレーション処理の実行間隔よりも小さくすることで、最新の画像補正データを取得することができる。
【０００６】
また、近年、本体の消費電力を抑えるための省エネルギーモード（以下単に「省エネモード」と記す。）機能を有する装置が広まっている。例えば、後掲の特許文献１には、スリープモード（省電力状態）であるときに、外部装置からＮＩＣ（Ｎｅｔｗｏｒｋ  Ｉｎｔｅｒｆａｃｅ  Ｃａｒｄ）を通じて受信した要求の内容及び自装置の状態に応じて、必要最小限の機能ブロックに対して適切なタイミングで通電を行なう画像処理装置が開示されている。
【０００７】
また後掲の特許文献２には、省電力モードにおいて、ＨＤＤへのアクセス要求を受信した場合に、メインＣＰＵを起動させることなく、必要最低限の機能のみを起動させて動作するＨＤＤアクセスモードに遷移して動作する画像形成装置が開示されている。
【０００８】
また後掲の特許文献３には、省電力状態時にて、制御装置から送信される復帰ビットパターンの入力を受信した場合には、省電力状態から通常の電力状態に復帰し、制御装置から定期的に送信される確認ビットパターンの入力を受信した場合には、省電力状態を維持したまま、省電力状態であることを応答として制御装置に対して返信するネットワーク機器が開示されている。
【先行技術文献】
【特許文献】
【０００９】
【特許文献１】特許第４３７２１０９号
【特許文献２】特開２００９−１９９１８９号公報
【特許文献３】特開２００８−４１０５２号公報
【発明の概要】
【発明が解決しようとする課題】
【００１０】
特許文献１〜特許文献３に開示される機能を備えるプリンタは、画像補正データの送信が不可能な状態、すなわち省エネモードにある場合において、画像補正データの取得要求を受信すると、画像補正データを送信するために省エネモードを解除する必要がある。このような場合、ＰＣが定期的に画像補正データ取得を行なうと、その都度省エネモードが解除されることになり、消費電力のロスが非常に大きくなってしまうという問題がある。
【００１１】
本発明の目的は、消費電力を低減することができるとともに、最新の印刷装置の状態に対応する画像補正データを取得することができる印刷システムを提供することである。
【課題を解決するための手段】
【００１２】
本発明の第１の局面に係る印刷システムは、画像補正データに基づく画像補正処理を行なって印刷データを生成する通信端末と、印刷データに基づく印刷処理を行なう印刷装置と、を含む印刷システムであって、通信端末は、予め定める所定時間毎に、印刷装置に対し、画像補正データを取得可能であるか否かを問合せる問合せ手段と、問合せに対する判定結果が、画像補正データを取得可能であることを示す場合に、印刷装置から送信される画像補正データを受信する第１のデータ受信手段と、第１のデータ受信手段が画像補正データを受信したことに応答して、画像補正データの取得状態を成功に設定する第１の設定手段と、印刷データの生成を要求する指示を受付ける指示受付手段と、指示受付手段が指示を受付けたことに応答して、画像補正データの取得状態が成功であるか否かを判定する取得状態判定手段と、取得状態判定手段によって、画像補正データの取得状態が成功でないと判定された場合に、印刷装置に対し、画像補正データの送信を要求する第１の要求手段と、第１の要求手段による要求に応答して、印刷装置から送信される画像補正データを受信する第２のデータ受信手段と、を含む。印刷装置は、問合せ手段による問合せを受付ける問合せ受付手段と、問合せ受付手段が問合せを受付けたことに応答して、当該印刷装置の状態が、通信端末に対する画像補正データの送信が可能な状態であるか否かを判定する第１の判定手段と、第１の判定手段によって、当該印刷装置の状態が、通信端末に対する画像補正データの送信が可能な状態であると判定された場合に、通信端末に対し、画像補正データを送信する第１のデータ送信手段と、第１の要求手段による要求を受付ける第１の要求受付手段と、第１の要求受付手段が要求を受付けたことに応答して、当該印刷装置の状態が、通信端末に対する画像補正データの送信が可能な状態であるか否かを判定する第２の判定手段と、第２の判定手段によって、当該印刷装置の状態が、通信端末に対する画像補正データの送信が可能な状態でないと判定された場合に、当該印刷装置の状態を、画像補正データの送信が可能な状態に遷移させる遷移手段と、第２の判定手段によって、当該印刷装置の状態が、通信端末に対する画像補正データの送信が可能な状態であると判定された場合、又は、遷移手段によって状態の遷移が行なわれた場合に、通信端末に対し、画像補正データを送信する第２のデータ送信手段と、を含む。
【００１３】
このように、通信端末によって定期的に行なわれる画像補正データの取得要求がなされた場合、印刷装置は、当該印刷装置の状態が、通信端末に対する画像補正データの送信が可能な状態である場合には、画像補正データの送信を行なう。したがって、画像補正データを送信するために、その状態の遷移又は解除を行なう必要がなくなる。その結果、どのような状態においても画像補正データを送信する場合と比較して、消費電力を低減することができる。
【００１４】
また、通信端末によって定期的に行なわれる画像補正データの取得が失敗した状態である場合には、印刷装置は、通信端末が印刷データの生成を行なう際に、通信端末に対する画像補正データの送信を行なう。このとき、印刷装置は、当該印刷装置の状態が、通信端末に対する画像補正データの送信が可能な状態でない場合には、当該印刷装置の状態を、画像補正データの送信が可能な状態に遷移させた後に画像補正データを送信する。その結果、通信端末は常に、最新の印刷装置の状態に対応する画像補正データに基づいて、印刷データを生成することができる。
【００１５】
本発明の第２の局面に係る印刷システムは、画像補正データに基づく画像補正処理を行なって印刷データを生成する通信端末と、印刷データに基づく印刷処理を行なう印刷装置と、を含む印刷システムであって、通信端末は、予め定める所定時間毎に、印刷装置に対し、画像補正データを取得可能であるか否かを問合せる問合せ手段と、問合せに対する判定結果が、画像補正データを取得可能であることを示す場合に、印刷装置から送信される画像補正データを受信する第１のデータ受信手段と、第１のデータ受信手段が画像補正データを受信したことに応答して、画像補正データの取得状態を成功に設定する第１の設定手段と、印刷データの生成を要求する指示を受付ける指示受付手段と、指示受付手段が指示を受付けたことに応答して、画像補正データの取得状態が成功であるか否かを判定する取得状態判定手段と、取得状態判定手段によって、画像補正データの取得状態が成功でないと判定された場合に、印刷装置に対し、当該印刷装置の状態を画像補正データの送信が可能な状態に遷移させることを命令する命令手段と、命令手段による命令後に、印刷装置に対し、画像補正データの送信を要求する第１の要求手段と、第１の要求手段による要求に応答して、印刷装置から送信される画像補正データを受信する第２のデータ受信手段と、を含む。印刷装置は、問合せ手段による問合せを受付ける問合せ受付手段と、問合せ受付手段が問合せを受付けたことに応答して、当該印刷装置の状態が、通信端末に対する画像補正データの送信が可能な状態であるか否かを判定する第１の判定手段と、第１の判定手段によって、当該印刷装置の状態が、通信端末に対する画像補正データの送信が可能な状態であると判定された場合に、通信端末に対し、画像補正データを送信する第１のデータ送信手段と、命令手段による命令を受付ける命令受付手段と、命令受付手段が命令を受付けたことに応答して、当該印刷装置の状態が、通信端末に対する画像補正データの送信が可能な状態であるか否かを判定する第２の判定手段と、第２の判定手段によって、当該印刷装置の状態が、通信端末に対する画像補正データの送信が可能な状態でないと判定された場合に、当該印刷装置の状態を、画像補正データの送信が可能な状態に遷移させる遷移手段と、第１の要求手段による要求を受付ける第１の要求受付手段と、第１の要求受付手段が要求を受付けたことに応答して、通信端末に対し、画像補正データを送信する第２のデータ送信手段と、を含む。
【００１６】
このように、通信端末によって定期的に行なわれる画像補正データの取得要求がなされた場合、印刷装置は、当該印刷装置の状態が、通信端末に対する画像補正データの送信が可能な状態である場合には、画像補正データの送信を行なう。したがって、画像補正データを送信するために、その状態の遷移又は解除を行なう必要がなくなる。その結果、どのような状態においても画像補正データを送信する場合と比較して、消費電力を低減することができる。
【００１７】
また、通信端末によって定期的に行なわれる画像補正データの取得が失敗した状態である場合には、印刷装置は、通信端末が印刷データの生成を行なう際に、通信端末に対する画像補正データの送信を行なう。このとき、印刷装置は、当該印刷装置の状態が、通信端末に対する画像補正データの送信が可能な状態でない場合には、画像補正データを送信する前に、当該印刷装置の状態を、画像補正データの送信が可能な状態に遷移させる。その結果、通信端末は常に、最新の印刷装置の状態に対応する画像補正データに基づいて、印刷データを生成することができる。
【００１８】
好ましくは、通信端末はさらに、印刷装置から送信される問合せに対する判定結果を受付ける判定結果受付手段と、判定結果受付手段が受付けた問合せに対する判定結果が、画像補正データを取得可能であることを示す場合に、印刷装置に対し、画像補正データの送信を要求する第２の要求手段と、を含む。印刷装置はさらに、第１の判定手段によって、当該印刷装置の状態が、通信端末に対する画像補正データの送信が可能な状態であると判定された場合に、通信端末に対し、問合せに対する判定結果として、画像補正データを取得可能であることを示す情報を送信する第１の結果送信手段と、第２の要求手段による要求を受付ける第２の要求受付手段と、を含む。第１のデータ送信手段は、第２の要求受付手段が要求を受付けたことに応答して、通信端末に対し、画像補正データを送信する。
【００１９】
これによって、通信端末は、画像補正データを取得可能であるか否かの判定結果をより一層確実に取得することができるので、消費電力をより一層確実に低減することができる。
【００２０】
より好ましくは、通信端末はさらに、判定結果受付手段が受付けた問合せに対する判定結果が、画像補正データを取得可能でないことを示す場合に、画像補正データの取得状態を失敗に設定する第２の設定手段を含む。印刷装置はさらに、第１の判定手段によって、当該印刷装置の状態が、通信端末に対する画像補正データの送信が可能な状態でないと判定された場合に、通信端末に対し、問合せに対する判定結果として、画像補正データを取得可能でないことを示す情報を送信する第２の結果送信手段を含む。
【００２１】
これによって、画像補正データの取得状態が成功であるか否かの判定をより一層正確に行なうことができるようになるので、通信端末は、最新の印刷装置の状態に対応する画像補正データをより一層確実に取得できる。
【００２２】
本発明の第３の局面に係る印刷システムは、画像補正データに基づく画像補正処理を行なって印刷データを生成する通信端末と、印刷データに基づく印刷処理を行なう印刷装置と、を含む印刷システムであって、通信端末は、予め定める所定時間毎に、印刷装置に対し、画像補正データの送信を要求する第１の要求手段と、第１の要求手段による要求に応答して、印刷装置から送信される画像補正データを受信する第１のデータ受信手段と、第１のデータ受信手段によって受信された画像補正データを解析し、解析結果に基づいて、画像補正データが有効であるか否かを判定する解析判定手段と、解析判定手段によって、画像補正データが有効であると判定された場合に、画像補正データの取得状態を成功に設定する第１の設定手段と、印刷データの生成を要求する指示を受付ける指示受付手段と、指示受付手段が指示を受付けたことに応答して、画像補正データの取得状態が成功であるか否かを判定する取得状態判定手段と、取得状態判定手段によって、画像補正データの取得状態が成功でないと判定された場合に、印刷装置に対し、当該印刷装置の状態を画像補正データの送信が可能な状態に遷移させることを命令する命令手段と、命令手段による命令後に、印刷装置に対し、画像補正データの送信を要求する第２の要求手段と、第２の要求手段による要求に応答して、印刷装置から送信される画像補正データを受信する第２のデータ受信手段と、を含み、印刷装置は、第１の要求手段による要求を受付ける第１の要求受付手段と、第１の要求受付手段が要求を受付けたことに応答して、当該印刷装置の状態が、通信端末に対する画像補正データの送信が可能な状態であるか否かを判定する第１の判定手段と、第１の判定手段によって、当該印刷装置の状態が、通信端末に対する画像補正データの送信が可能な状態であると判定された場合に、通信端末に対し、有効に設定される画像補正データを送信する第１のデータ送信手段と、命令手段による命令を受付ける命令受付手段と、命令受付手段が命令を受付けたことに応答して、当該印刷装置の状態が、通信端末に対する画像補正データの送信が可能な状態であるか否かを判定する第２の判定手段と、第２の判定手段によって、当該印刷装置の状態が、通信端末に対する画像補正データの送信が可能な状態でないと判定された場合に、当該印刷装置の状態を、画像補正データの送信が可能な状態に遷移させる遷移手段と、第２の要求手段による要求を受付ける第２の要求受付手段と、第２の要求受付手段が要求を受付けたことに応答して、通信端末に対し、画像補正データを送信する第２のデータ送信手段と、を含む。
【００２３】
このように、通信端末によって定期的に行なわれる画像補正データの取得要求がなされた場合、印刷装置は、当該印刷装置の状態が、通信端末に対する画像補正データの送信が可能な状態である場合には、有効に設定される画像補正データの送信を行なう。したがって、画像補正データを送信するために、その状態の遷移又は解除を行なう必要がなくなる。その結果、どのような状態においても画像補正データを送信する場合と比較して、消費電力を低減することができる。
【００２４】
また、通信端末によって定期的に行なわれる画像補正データの取得が失敗した状態である場合には、印刷装置は、通信端末が印刷データの生成を行なう際に、通信端末に対する画像補正データの送信を行なう。このとき、印刷装置は、当該印刷装置の状態が、通信端末に対する画像補正データの送信が可能な状態でない場合には、画像補正データを送信する前に、当該印刷装置の状態を、画像補正データの送信が可能な状態に遷移させる。その結果、通信端末は常に、最新の印刷装置の状態に対応する画像補正データに基づいて、印刷データを生成することができる。
【００２５】
好ましくは、印刷装置はさらに、第１の判定手段によって、当該印刷装置の状態が、通信端末に対する画像補正データの送信が可能な状態でないと判定された場合に、通信端末に対し、無効に設定される画像補正データを送信する第３のデータ送信手段を含む。通信端末はさらに、解析判定手段によって、画像補正データが有効でないと判定された場合に、画像補正データの取得状態を失敗に設定する第２の設定手段を含む。
【００２６】
これによって、画像補正データの取得状態が成功であるか否かの判定をより一層正確に行なうことができるようになるので、通信端末は、最新の印刷装置の状態に対応する画像補正データをより一層確実に取得できる。
【００２７】
より好ましくは、通信端末に対する画像補正データの送信が可能な状態とは、画像補正データの送信処理を実行するためのメインコントローラに対する電力の供給が行なわれている状態であり、通信端末に対する画像補正データの送信が可能でない状態とは、メインコントローラに対する電力の供給が行なわれていない状態である。これによって、消費電力をさらに低減することができる。
【００２８】
本発明の第４の局面に係る通信端末は、画像補正データに基づく画像補正処理を行なって印刷データを生成する通信端末と、印刷データに基づく印刷処理を行なう印刷装置と、を含む印刷システムにおいて用いられる通信端末であって、予め定める所定時間毎に、印刷装置に対し、画像補正データを取得可能であるか否かを問合せる問合せ手段と、印刷装置から送信される問合せに対する判定結果が、画像補正データを取得可能であることを示す場合に、印刷装置から送信される画像補正データを受信する第１のデータ受信手段と、第１のデータ受信手段が画像補正データを受信したことに応答して、画像補正データの取得状態を成功に設定する第１の設定手段と、印刷データの生成を要求する指示を受付ける指示受付手段と、指示受付手段が指示を受付けたことに応答して、画像補正データの取得状態が成功であるか否かを判定する取得状態判定手段と、取得状態判定手段によって、画像補正データの取得状態が成功でないと判定された場合に、印刷装置に対し、画像補正データの送信を要求する第１の要求手段と、第１の要求手段による要求に応答して、印刷装置から送信される画像補正データを受信する第２のデータ受信手段と、を含む。
【００２９】
本発明の第５の局面に係る印刷装置は、画像補正データに基づく画像補正処理を行なって印刷データを生成する通信端末と、印刷データに基づく印刷処理を行なう印刷装置と、を含む印刷システムにおいて用いられる印刷装置であって、予め定める所定時間毎に、通信端末から送信される、画像補正データを取得可能であるか否かの問合せを受付ける問合せ受付手段と、問合せ受付手段が問合せを受付けたことに応答して、当該印刷装置の状態が、通信端末に対する画像補正データの送信が可能な状態であるか否かを判定する第１の判定手段と、第１の判定手段によって、当該印刷装置の状態が、通信端末に対する画像補正データの送信が可能な状態であると判定された場合に、通信端末に対し、画像補正データを送信する第１のデータ送信手段と、通信端末から送信される、画像補正データを送信することを要求する要求を受付ける第１の要求受付手段と、第１の要求受付手段が要求を受付けたことに応答して、当該印刷装置の状態が、通信端末に対する画像補正データの送信が可能な状態であるか否かを判定する第２の判定手段と、第２の判定手段によって、当該印刷装置の状態が、通信端末に対する画像補正データの送信が可能な状態でないと判定された場合に、当該印刷装置の状態を、画像補正データの送信が可能な状態に遷移させる遷移手段と、第２の判定手段によって、当該印刷装置の状態が、通信端末に対する画像補正データの送信が可能な状態であると判定された場合、又は、遷移手段によって状態の遷移が行なわれた場合に、通信端末に対し、画像補正データを送信する第２のデータ送信手段と、を含む。
【００３０】
このように、通信端末によって定期的に行なわれる画像補正データの取得要求がなされた場合、印刷装置は、当該印刷装置の状態が、通信端末に対する画像補正データの送信が可能な状態である場合には、画像補正データの送信を行なう。したがって、画像補正データを送信するために、その状態の遷移又は解除を行なう必要がなくなる。その結果、どのような状態においても画像補正データを送信する場合と比較して、消費電力を低減することができる。
【００３１】
また、通信端末によって定期的に行なわれる画像補正データの取得が失敗した状態である場合には、印刷装置は、通信端末が印刷データの生成を行なう際に、通信端末に対する画像補正データの送信を行なう。このとき、印刷装置は、当該印刷装置の状態が、通信端末に対する画像補正データの送信が可能な状態でない場合には、当該印刷装置の状態を、画像補正データの送信が可能な状態に遷移させた後に画像補正データを送信する。その結果、通信端末は常に、最新の印刷装置の状態に対応する画像補正データに基づいて、印刷データを生成することができる。
【００３２】
本発明の第６の局面に係る通信端末は、画像補正データに基づく画像補正処理を行なって印刷データを生成する通信端末と、印刷データに基づく印刷処理を行なう印刷装置と、を含む印刷システムにおいて用いられる通信端末であって、予め定める所定時間毎に、印刷装置に対し、画像補正データを取得可能であるか否かを問合せる問合せ手段と、印刷装置から送信される問合せに対する判定結果が、画像補正データを取得可能であることを示す場合に、印刷装置から送信される画像補正データを受信する第１のデータ受信手段と、第１のデータ受信手段が画像補正データを受信したことに応答して、画像補正データの取得状態を成功に設定する第１の設定手段と、印刷データの生成を要求する指示を受付ける指示受付手段と、指示受付手段が指示を受付けたことに応答して、画像補正データの取得状態が成功であるか否かを判定する取得状態判定手段と、取得状態判定手段によって、画像補正データの取得状態が成功でないと判定された場合に、印刷装置に対し、当該印刷装置の状態を画像補正データの送信が可能な状態に遷移させることを命令する命令手段と、命令手段による命令後に、印刷装置に対し、画像補正データの送信を要求する第１の要求手段と、第１の要求手段による要求に応答して、印刷装置から送信される画像補正データを受信する第２のデータ受信手段と、を含む。
【００３３】
本発明の第７の局面に係る印刷装置は、画像補正データに基づく画像補正処理を行なって印刷データを生成する通信端末と、印刷データに基づく印刷処理を行なう印刷装置と、を含む印刷システムにおいて用いられる印刷装置であって、予め定める所定時間毎に、通信端末から送信される、画像補正データを取得可能であるか否かの問合せを受付ける問合せ受付手段と、問合せ受付手段が問合せを受付けたことに応答して、当該印刷装置の状態が、通信端末に対する画像補正データの送信が可能な状態であるか否かを判定する第１の判定手段と、第１の判定手段によって、当該印刷装置の状態が、通信端末に対する画像補正データの送信が可能な状態であると判定された場合に、通信端末に対し、画像補正データを送信する第１のデータ送信手段と、通信端末から送信される、当該印刷装置の状態を画像補正データの送信が可能な状態に遷移させることを命令する命令を受付ける命令受付手段と、命令受付手段が命令を受付けたことに応答して、当該印刷装置の状態が、通信端末に対する画像補正データの送信が可能な状態であるか否かを判定する第２の判定手段と、第２の判定手段によって、当該印刷装置の状態が、通信端末に対する画像補正データの送信が可能な状態でないと判定された場合に、当該印刷装置の状態を、画像補正データの送信が可能な状態に遷移させる遷移手段と、命令後に通信端末から送信される、画像補正データを送信することを要求する要求を受付ける第１の要求受付手段と、第１の要求受付手段が要求を受付けたことに応答して、通信端末に対し、画像補正データを送信する第２のデータ送信手段と、を含む。
【００３４】
このように、通信端末によって定期的に行なわれる画像補正データの取得要求がなされた場合、印刷装置は、当該印刷装置の状態が、通信端末に対する画像補正データの送信が可能な状態である場合には、画像補正データの送信を行なう。したがって、画像補正データを送信するために、その状態の遷移又は解除を行なう必要がなくなる。その結果、どのような状態においても画像補正データを送信する場合と比較して、消費電力を低減することができる。
【００３５】
また、通信端末によって定期的に行なわれる画像補正データの取得が失敗した状態である場合には、印刷装置は、通信端末が印刷データの生成を行なう際に、通信端末に対する画像補正データの送信を行なう。このとき、印刷装置は、当該印刷装置の状態が、通信端末に対する画像補正データの送信が可能な状態でない場合には、画像補正データを送信する前に、当該印刷装置の状態を、画像補正データの送信が可能な状態に遷移させる。その結果、通信端末は常に、最新の印刷装置の状態に対応する画像補正データに基づいて、印刷データを生成することができる。
【００３６】
本発明の第８の局面に係る通信端末は、画像補正データに基づく画像補正処理を行なって印刷データを生成する通信端末と、印刷データに基づく印刷処理を行なう印刷装置と、を含む印刷システムにおいて用いられる通信端末であって、予め定める所定時間毎に、印刷装置に対し、画像補正データの送信を要求する第１の要求手段と、第１の要求手段による要求に応答して、印刷装置から送信される画像補正データを受信する第１のデータ受信手段と、第１のデータ受信手段によって受信された画像補正データを解析し、解析結果に基づいて、画像補正データが有効であるか否かを判定する解析判定手段と、解析判定手段によって、画像補正データが有効であると判定された場合に、画像補正データの取得状態を成功に設定する第１の設定手段と、印刷データの生成を要求する指示を受付ける指示受付手段と、指示受付手段が指示を受付けたことに応答して、画像補正データの取得状態が成功であるか否かを判定する取得状態判定手段と、取得状態判定手段によって、画像補正データの取得状態が成功でないと判定された場合に、印刷装置に対し、当該印刷装置の状態を画像補正データの送信が可能な状態に遷移させることを命令する命令手段と、命令手段による命令後に、印刷装置に対し、画像補正データの送信を要求する第２の要求手段と、第２の要求手段による要求に応答して、印刷装置から送信される画像補正データを受信する第２のデータ受信手段と、を含む。
【００３７】
本発明の第９の局面に係る印刷装置は、画像補正データに基づく画像補正処理を行なって印刷データを生成する通信端末と、印刷データに基づく印刷処理を行なう印刷装置と、を含む印刷システムにおいて用いられる印刷装置であって、予め定める所定時間毎に、通信端末から送信される、画像補正データを送信することを要求する要求を受付ける第１の要求受付手段と、第１の要求受付手段が要求を受付けたことに応答して、当該印刷装置の状態が、通信端末に対する画像補正データの送信が可能な状態であるか否かを判定する第１の判定手段と、第１の判定手段によって、当該印刷装置の状態が、通信端末に対する画像補正データの送信が可能な状態であると判定された場合に、通信端末に対し、有効に設定される画像補正データを送信する第１のデータ送信手段と、通信端末から送信される、当該印刷装置の状態を画像補正データの送信が可能な状態に遷移させることを命令する命令を受付ける命令受付手段と、命令受付手段が命令を受付けたことに応答して、当該印刷装置の状態が、通信端末に対する画像補正データの送信が可能な状態であるか否かを判定する第２の判定手段と、第２の判定手段によって、当該印刷装置の状態が、通信端末に対する画像補正データの送信が可能な状態でないと判定された場合に、当該印刷装置の状態を、画像補正データの送信が可能な状態に遷移させる遷移手段と、命令後に通信端末から送信される、画像補正データを送信することを要求する要求を受付ける第２の要求受付手段と、第２の要求受付手段が要求を受付けたことに応答して、通信端末に対し、画像補正データを送信する第２のデータ送信手段と、を含む。
【００３８】
このように、通信端末によって定期的に行なわれる画像補正データの取得要求がなされた場合、印刷装置は、当該印刷装置の状態が、通信端末に対する画像補正データの送信が可能な状態である場合には、有効に設定される画像補正データの送信を行なう。したがって、画像補正データを送信するために、その状態の遷移又は解除を行なう必要がなくなる。その結果、どのような状態においても画像補正データを送信する場合と比較して、消費電力を低減することができる。
【００３９】
また、通信端末によって定期的に行なわれる画像補正データの取得が失敗した状態である場合には、印刷装置は、通信端末が印刷データの生成を行なう際に、通信端末に対する画像補正データの送信を行なう。このとき、印刷装置は、当該印刷装置の状態が、通信端末に対する画像補正データの送信が可能な状態でない場合には、画像補正データを送信する前に、当該印刷装置の状態を、画像補正データの送信が可能な状態に遷移させる。その結果、通信端末は常に、最新の印刷装置の状態に対応する画像補正データに基づいて、印刷データを生成することができる。
【発明の効果】
【００４０】
本発明によれば、通信端末によって定期的に行なわれる画像補正データの取得要求がなされた場合、印刷装置は、当該印刷装置の状態が、通信端末に対する画像補正データの送信が可能な状態である場合には、画像補正データの送信を行なう。したがって、画像補正データを送信するために、その状態の遷移又は解除を行なう必要がなくなる。その結果、どのような状態においても画像補正データを送信する場合と比較して、消費電力を低減することができる。
【００４１】
また、通信端末によって定期的に行なわれる画像補正データの取得が失敗した状態である場合には、印刷装置は、通信端末が印刷データの生成を行なう際に、通信端末に対する画像補正データの送信を行なう。その結果、通信端末は常に、最新の印刷装置の状態に対応する画像補正データに基づいて、印刷データを生成することができる。
【図面の簡単な説明】
【００４２】
【図１】本発明の第１の実施の形態に係る印刷システムの構成を示す図である。
【図２】印刷装置の構成を示すブロック図である。
【図３】通信端末の構成を示すブロック図である。
【図４】印刷装置及び通信端末の機能ブロック図である。
【図５】本発明の第１の実施の形態に係る画像補正データ取得処理を実現するためのコンピュータプログラムの制御構造をフローチャート形式で示す図である。
【図６】本発明の第１の実施の形態に係る送信可否情報の送信処理を実現するためのコンピュータプログラムの制御構造をフローチャート形式で示す図である。
【図７】本発明の第１の実施の形態に係る印刷データ生成処理を実現するためのコンピュータプログラムの制御構造をフローチャート形式で示す図である。
【図８】本発明の第１の実施の形態に係る画像補正データ送信処理を実現するためのコンピュータプログラムの制御構造をフローチャート形式で示す図である。
【図９】本発明の第１の実施の形態に係る印刷処理を実現するためのコンピュータプログラムの制御構造をフローチャート形式で示す図である。
【図１０】本発明の第２の実施の形態に係る印刷データ生成処理を実現するためのコンピュータプログラムの制御構造をフローチャート形式で示す図である。
【図１１】本発明の第２の実施の形態に係る画像補正データ送信処理を実現するためのコンピュータプログラムの制御構造をフローチャート形式で示す図である。
【図１２】本発明の第３の実施の形態に係る画像補正データ取得処理を実現するためのコンピュータプログラムの制御構造をフローチャート形式で示す図である。
【図１３】本発明の第３の実施の形態に係る無効な画像補正データ送信処理を実現するためのコンピュータプログラムの制御構造をフローチャート形式で示す図である。
【発明を実施するための形態】
【００４３】
以下の説明及び図面においては、同一の部品には同一の参照符号及び名称を付してある
。それらの機能も同様である。したがって、それらについての詳細な説明は繰返さない。
【００４４】
［第１の実施の形態］  
図１を参照して、本発明の第１の実施の形態に係る印刷システム１は、印刷装置１０と、通信端末１２とを含む。印刷装置１０及び通信端末１２は、ＬＡＮ（Ｌｏｃａｌ  Ａｒｅａ  Ｎｅｔｗｏｒｋ）回線等からなるネットワーク２０を介して互いに接続され、各種データを相互に送受できる。
【００４５】
印刷装置１０は、スキャナ機能、コピー機能、及び、プリンタ機能等を備えるＭＦＰ（Ｍｕｌｔｉｆｕｎｃｔｉｏｎ  Ｐｒｉｎｔｅｒ）である。
【００４６】
通信端末１２は、印刷装置１０を利用するために一般のユーザによって操作される、例えば、ＰＣ等の端末装置である。なお、図１には通信端末１２を１つのみ図示するが、実際には多数存在する。
【００４７】
印刷システム１において、通信端末１２から印刷装置１０に対して印刷対象となる印刷データが送信されると、印刷装置１０は、印刷データに基づく画像を形成するための印刷処理を実行する。
【００４８】
〈ハードウェア構成〉  
［印刷装置１０］  
図２を参照して、印刷装置１０は、メインコントローラ２４、サブコントローラ２５、ＨＤＤ３０、スキャナ部３２、印刷部３４、画像処理部３５、操作パネル３６、ＬＡＮインターフェイス（ＬＡＮ  Ｉ／Ｆ）３８、及び、電源制御部３９を含む。
【００４９】
メインコントローラ２４は、実質的にコンピュータであって、ＣＰＵ４０、ＲＯＭ４２、及び、ＲＡＭ４４を含む。ＣＰＵ４０には、ＢＵＳライン２６が接続されており、このＢＵＳライン２６には、ＲＯＭ４２、及び、ＲＡＭ４４が電気的に接続される。ＣＰＵ４０は、操作パネル３６等からの指示に応じて各種コンピュータプログラムを実行することによって、印刷装置１０の各部の動作及び通信端末１２との通信等の所望の処理を実行する。上記の各種コンピュータプログラムは、予めＲＯＭ４２又はＨＤＤ３０に記憶されており、所望の処理の実行時において、当該ＲＯＭ４２又はＨＤＤ３０から読出されてＲＡＭ４４に転送される。ＣＰＵ４０は、ＣＰＵ４０内の図示しないプログラムカウンタと呼ばれるレジスタに格納された値によって指定される、ＲＡＭ４４内のアドレスからプログラムの命令を読出し、解釈する。ＣＰＵ４０はまた、読出された命令によって指定されるアドレスから演算に必要なデータを読出し、そのデータに対し命令に対応する演算を実行する。実行の結果も、ＲＡＭ４４、ＨＤＤ３０及びＣＰＵ４０内のレジスタ等の、命令によって指定されるアドレスに格納される。
【００５０】
サブコントローラ２５は、ＬＡＮ  Ｉ／Ｆ３８を介した通信の制御を行なうコンピュータである。サブコントローラ２５は、サブＣＰＵ、サブＲＯＭ、及び、サブＲＡＭ（以上いずれも図示せず。）を含む。これらのサブＣＰＵ、サブＲＯＭ、及び、サブＲＡＭは、ＢＵＳライン２６に接続される。サブＣＰＵ、サブＲＯＭ、及び、サブＲＡＭは、ＣＰＵ４０、ＲＯＭ４２、及び、ＲＡＭ４４と同様に動作する。すなわち、サブＣＰＵは、サブＲＯＭに格納される各種コンピュータプログラムをサブＲＡＭを用いて実行することによって、通信端末１２との通信等の所望の処理を実行する。
【００５１】
サブＲＯＭには、ネットワーク２０に対する接続性を維持するために必要となる動作を実現するためのコンピュータプログラムとともに、後述する送信可否情報の送信処理、及び、画像補正データ送信処理を実現するためのコンピュータプログラムを記憶する。
【００５２】
ＢＵＳライン２６には、さらに、ＨＤＤ３０、スキャナ部３２、印刷部３４、画像処理部３５、操作パネル３６、ＬＡＮ  Ｉ／Ｆ３８、及び、電源制御部３９が電気的に接続される。
【００５３】
ＨＤＤ３０は、磁気記憶媒体を備え、画像データ等を含む各種データ、及び印刷装置１０の一般的な動作を実現するためのコンピュータプログラムとともに、後述する印刷処理を実現するためのコンピュータプログラムを記憶する。
【００５４】
スキャナ部３２は、光源を含む原稿走査ユニット、反射ミラー、光学レンズ及びＣＣＤ（Ｃｈａｒｇｅ−Ｃｏｕｐｌｅｄ  Ｄｅｖｉｃｅ）ラインセンサ（以上いずれも図示せず。）を含む。原稿走査ユニットは、ユーザによって手動で、又は、自動原稿搬送装置（図示せず。）によって、原稿載置台（図示せず。）上に載置された原稿の画像表面に対し光源から光を照射することによって反射光像を得る。反射ミラー及び光学レンズは、得られる反射光像をＣＣＤラインセンサ上に結像させる。ＣＣＤラインセンサは、結像された反射光像を順次光電変換して画像データとして画像処理部３５に対して出力する。
【００５５】
印刷部３４は、画像メモリ４８及び印字部５０を含む。画像メモリ４８は、ＲＡＭを含み、印刷データをページ単位で一時的に記憶する。画像メモリ４８は、メインコントローラ２４等からの指示に応じて、印字部５０に送信するための、画像処理部３５から入力される印刷データ、又は、通信端末１２から送信される印刷データをページ単位で一時的に記憶し、記憶した印刷データを印字部５０による画像形成に同期して、印字部５０に対して出力する。印字部５０は、感光体ドラム、帯電器、ＬＳＵ（Ｌａｓｅｒ  Ｓｃａｎｎｉｎｇ  Ｕｎｉｔ）、現像装置、転写装置、クリーニング装置及び定着装置（以上いずれも図示せず。）、並びに、印刷装置１０に着脱自在に装着されるトナーカートリッジを含む。印字部５０は、さらに、印刷装置１０に着脱自在に装着される、手差し給紙トレイ、第１給紙トレイ及び第２給紙トレイ（以上いずれも図示せず。）を含む。これらの給紙トレイは、この順で上下に並ぶように設置され、記録用紙を保持し、用紙搬送部（図示せず。）に記録用紙を送給する。手差し給紙トレイは、ユーザが手動により所望の記録用紙を設置するためのトレイであり、第１給紙トレイ及び第２給紙トレイは、異なる大きさの記録用紙を保持するためのトレイである。印字部５０は、メインコントローラ２４等からの指示に応じて、上記給紙トレイのいずれかから用紙搬送部を介して搬送される記録用紙上に、画像メモリ４８から送信される印刷データに基づく画像を印刷する。
【００５６】
画像処理部３５は、ＭＰＵ（Ｍｉｃｒｏ  Ｐｒｏｃｅｓｓｉｎｇ  Ｕｎｉｔ、図示せず
。）を含む。画像処理部３５は、スキャナ部３２から受信する画像データに対して、例えば、ラスタライズ処理等の所定の画像処理を含む各種処理を施して所定の階調の印刷データを作成し、印刷部３４に対して出力する。
【００５７】
操作パネル３６は、タッチパネル及び液晶ディスプレイ（以上いずれも図示せず。）を含む。このタッチパネル及び液晶ディスプレイは重ねて構成され、ユーザに対して対話的な操作インターフェイスを提供する。すなわち、操作パネル３６は、タッチパネルに対するユーザの入力操作に基づく指示を受付けて、その指示に応じた制御信号をメインコントローラ２４に対して出力する。メインコントローラ２４は、入力された指示に応じて、液晶ディスプレイに対し、印刷装置１０の状態及び指示の内容に関する情報等を表示させる。操作パネル３６は、さらに、電源オン指示及び電源オフ指示を入力するための電源ボタン、並びに、印刷ジョブを開始させるための印刷スタートキー等を含む各種ハードウェアキーを含む。
【００５８】
ＬＡＮ  Ｉ／Ｆ３８は、ネットワーク２０とのインターフェイスをとる。印刷装置１０は、このＬＡＮ  Ｉ／Ｆ３８を介して、ネットワーク２０上の通信端末１２と、所定の通信プロトコルに従ったデータ通信を行なうことができる。
【００５９】
電源制御部３９は、外部電源５２と電気的に接続される。電源制御部３９は、印刷装置１０の各部の動作に必要な電力を外部電源５２から取得し、取得した電力を印刷装置１０の各部に供給する。
【００６０】
本実施の形態において、印刷装置１０は、印刷装置１０本体の消費電力を抑えるための省エネモード機能を有する。すなわち、電源制御部３９は、メインコントローラ２４、サブコントローラ２５、ＬＡＮ  Ｉ／Ｆ３８、及び、印刷部３４等に対する電力供給のＯＮ／ＯＦＦを制御することで、印刷装置１０の状態を、通常モード、第１の省エネモード、及び、第２の省エネモードのうちのいずれかに設定する。以下、第１の省エネモード及び第２の省エネモードを総称して単に「省エネモード」と記す場合がある。
【００６１】
通常モードにおいて、電源制御部３９は、印刷装置１０の全ての各部に対して電力を供給する。通常モードでは、コピーモード、印刷モード、及び、スキャナモードにおける各種動作が行なわれるとともに、画像補正データを送信する処理を実行することができる。
【００６２】
第１の省エネモードにおいて、電源制御部３９は、ＳＮＭＰ（Ｓｉｍｐｌｅ  Ｎｅｔｗｏｒｋ  Ｍａｎａｇｅｍｅｎｔ  Ｐｒｏｔｏｃｏｌ）、ＳＯＡＰ（Ｓｉｍｐｌｅ  Ｏｂｊｅｃｔ  Ａｃｃｅｓｓ  Ｐｒｏｔｏｃｏｌ）、及び、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）等の名前が示すプロトコルに応じた通信に関係しない各部（例えば、印刷部３４、操作パネル３６の液晶ディスプレイ、及び、各種モータ（図示せず。）等）に対する電力供給をオフにする。すなわち、第１の省エネモードでは、ＳＯＡＰ通信処理等を実行するためのメインコントローラ２４、サブコントローラ２５、及び、ＬＡＮ  Ｉ／Ｆ３８に対する電力供給が行なわれる。第１の省エネモードでは、印字処理を伴わないＭＩＢ（Ｍａｎａｇｅｍｅｎｔ  Ｉｎｆｏｒｍａｔｉｏｎ  Ｂａｓｅ）等に対する応答が行なわれるとともに、画像補正データを送信する処理を実行することができる。
【００６３】
第２の省エネモードにおいて、電源制御部３９は、サブコントローラ２５、及び、ＬＡＮ  Ｉ／Ｆ３８に対する電力供給のみを行なう。このように、第２の省エネモードでは、消費電力の比較的大きいメインコントローラ２４に対する電力供給もオフにされるため、第１の省エネモードよりもさらに消費電力を抑えることができる。第２の省エネモードでは、特定のＭＩＢに対する応答のみが行なわれ、画像補正データを送信する処理を実行することはできない。
【００６４】
印刷装置１０は、上述した各部を動作させることによって、操作パネル３６からのユーザの入力操作による指示又は通信端末１２等からの指示に応じて、原稿画像を読取り記録用紙に印刷するコピーモード、通信端末１２等から送信される印刷データを受信して記録用紙に印刷する印刷モード、及び、原稿画像を読取り通信端末１２等に送信するスキャナモード等の各種のモードのいずれかを実行する。
【００６５】
［通信端末１２］  
図３を参照して、通信端末１２は、制御部１００、ＨＤＤ１１２、操作部１１４、表示部１１６、及び、ＬＡＮ  Ｉ／Ｆ１１８を含む。
【００６６】
制御部１００は、実質的にコンピュータであって、ＣＰＵ１２２、ＲＯＭ１２４、及び、ＲＡＭ１２６を含む。ＣＰＵ１２２には、ＢＵＳライン１２８が接続されており、このＢＵＳライン１２８には、ＲＯＭ１２４及びＲＡＭ１２６が電気的に接続される。ＣＰＵ１２２は、印刷装置１０を含む外部装置又は操作部１１４等からの指示に応じて各種コンピュータプログラムを実行することによって、通信端末１２の各部の動作及び外部装置との通信等の所望の処理を実行する。上記の各種コンピュータプログラムは、予めＲＯＭ１２４又はＨＤＤ１１２に記憶されており、所望の処理の実行時において、当該ＲＯＭ１２４又はＨＤＤ１１２から読出されてＲＡＭ１２６に転送される。ＣＰＵ１２２は、ＣＰＵ１２２内の図示しないプログラムカウンタと呼ばれるレジスタに格納された値によって指定される、ＲＡＭ１２６内のアドレスからプログラムの命令を読出し、解釈する。ＣＰＵ１２２はまた、読出された命令によって指定されるアドレスから演算に必要なデータを読出し、そのデータに対し命令に対応する演算を実行する。実行の結果も、ＲＡＭ１２６、ＨＤＤ１１２及びＣＰＵ１２２内のレジスタ等の、命令によって指定されるアドレスに格納される。
【００６７】
ＢＵＳライン１２８には、さらに、ＨＤＤ１１２、操作部１１４、表示部１１６、及び
、ＬＡＮ  Ｉ／Ｆ１１８が電気的に接続される。
【００６８】
ＨＤＤ１１２は、磁気記憶媒体を備え、画像データ等を含む各種データを記憶する。ＨＤＤ１１２はさらに、印刷装置１０に対し、印刷ジョブを実行させるためのプリンタドライバプログラム（以下単に「プリンタドライバ」と記す。）（例えば、ＧＤＩ（Ｇｒａｐｈｉｃ  Ｄｅｖｉｃｅ  Ｉｎｔｅｒｆａｃｅ）ドライバ）を記憶する。通信端末１２は、このプリンタドライバを実行することによって、ユーザによって指定された画像データに基づく画像を印刷装置１０に印刷させる動作、後述する画像補正データ取得処理、及び、印刷データ生成処理等を実現することができる。
【００６９】
ＨＤＤ１１２は、さらに、各種アプリケーションソフトを記憶する。通信端末１２は、このアプリケーションソフトを実行することによって、所望の画像データを作成する動作等を実現することができる。各種アプリケーションソフトとしては、例えば、Ｍｉｃｒｏｓｏｆｔ（登録商標）社の「Ｍｉｃｒｏｓｏｆｔ  Ｏｆｆｉｃｅ（登録商標）」における表計算ソフトである「Ｍｉｃｒｏｓｏｆｔ  Ｏｆｆｉｃｅ  Ｅｘｃｅｌ（登録商標）」、及び、ワープロソフトである「Ｍｉｃｒｏｓｏｆｔ  Ｏｆｆｉｃｅ  Ｗｏｒｄ（登録商標）」等がある。
【００７０】
操作部１１４は、ユーザの指示等に応じた各種入力及び文字入力等を行なうためのキーボード、並びに、マウス等のポインティングデバイス等を含む入力装置である。操作部１１４は、インターフェイス（図示せず。）を介してＢＵＳライン１２８と接続される。
【００７１】
表示部１１６は、通信端末１２の処理結果等を表示するための、液晶ディスプレイ等からなる表示装置である。表示部１１６は、表示部１１６を駆動させるためのビデオ回路（図示せず。）を介してＢＵＳライン１２８と接続される。
【００７２】
通信端末１２は、ＬＡＮ  Ｉ／Ｆ１１８を介してネットワーク２０に接続されており、ネットワーク２０上に接続される印刷装置１０を含む外部装置とのデータ通信が可能である。
【００７３】
通信端末１２の各部には電源（図示せず。）が接続され、この電源から電力が供給
されることで、通信端末１２の各部が動作する。
【００７４】
〈機能ブロック構成〉  
［印刷装置１０］  
図４を参照して、印刷装置１０は、状態管理部２００、情報通信部２０２、画像補正データ生成部２０４、印刷データ受信部２０６、及び、印刷制御部２１０を含む。状態管理部２００及び情報通信部２０２は、実際には、サブコントローラ２５のサブＣＰＵ（図示せず。）によって実行されるコンピュータプログラムによって実現される。すなわち、状態管理部２００及び情報通信部２０２は、印刷装置１０が通常モードであるか省エネモードであるかにかかわらず動作する。画像補正データ生成部２０４、印刷データ受信部２０６、及び印刷制御部２１０は、実際には、メインコントローラ２４のＣＰＵ４０によって実行されるコンピュータプログラムによって実現される。
【００７５】
状態管理部２００は、印刷装置１０の状態を管理する。すなわち、状態管理部２００は、電源制御部３９の動作を制御することで、印刷装置１０の状態を省エネモード又は通常モードに設定する。状態管理部２００は、例えば、印刷装置１０に対する動作がない状態で予め定める所定時間が経過した場合には、印刷装置１０の状態を、より消費電力の少ない動作モード（例えば、通常モードから第１の省エネモード、第１の省エネモードから第２の省エネモード）へと遷移させる。状態管理部２００は、また、後述する画像補正データ送信処理における処理（図８のＳ４００２）を実行することで、印刷装置１０の状態を、第２の省エネモードから通常モード又は第１の省エネモードに遷移させる。
【００７６】
情報通信部２０２は、後述する送信可否情報の送信処理のＳ２０００〜Ｓ２００６（図６参照）の処理、並びに、後述する画像補正データ送信処理のＳ４０００，Ｓ４００１及びＳ４００３（図８参照）の処理を実行する。
【００７７】
画像補正データ生成部２０４は、印刷装置１０の現在の状態に対応する画像補正データを定期的に生成する。この画像補正データは、画像濃度を調整するためのデータであって、画素をディザパターンに変換するためのテーブルデータ、及び、ガンマ補正値等を含む。画像補正データは、以下に示すキャリブレーション処理を定期的に実行することで、生成される。このキャリブレーション処理において、画像補正データ生成部２０４はまず、画像形成に関与しない所定のタイミングで、濃度の異なる複数のテスト画像（トナーパッチ）を感光体、中間転写体又は転写体等の像担持体上に形成し、このテスト画像の濃度（トナー付着量）を濃度センサ（光学センサ）によって測定する。そして、濃度センサの測定結果に基づいて、画像濃度に影響を与えるパラメータを設定することで画像補正データを生成する。例えば、濃度センサの測定結果によって画像濃度が低いことが示される場合には、画像補正データ生成部２０４は、生成されるディザパターンの塗りつぶし面積がより大きくなるように、ディザパターンのテーブルデータの各値を設定する。
【００７８】
印刷データ受信部２０６は、ＬＡＮ  Ｉ／Ｆ３８を介して、通信端末１２から送信される印刷データを受信する（例えば、後述する印刷処理のＳ５０００（図９参照））。
【００７９】
印刷制御部２１０は、印刷部３４に対し、受信した印刷データに基づく印刷処理を実行させることで、印刷データに基づく画像を記録媒体上に形成する（例えば、印刷処理のＳ５００１（図９参照））。
【００８０】
［通信端末１２］  
再び図４を参照して、通信端末１２は、情報取得部３００、及び、印刷データ生成部３０２を含む。上記した各部は、実際には、制御部１００のＣＰＵ１２２によって実行されるプリンタドライバによって実現される。
【００８１】
情報取得部３００は、後述する画像補正データ取得処理のＳ１０００〜Ｓ１００８（図５参照）、及び、後述する印刷データ生成処理のＳ３００１〜Ｓ３００４（図７参照）を実行する。
【００８２】
印刷データ生成部３０２は、後述する印刷データ生成処理のＳ３０００、Ｓ３００５及びＳ３００６（図７参照）を実行する。
【００８３】
〈ソフトウェア構成〉  
（画像補正データ取得処理）  
画像補正データ取得処理を実現するためのプログラムは、通信端末１２の電源が投入されることによって起動され、電源が切られることによって終了する。
【００８４】
図５を参照して、このプログラムは、画像補正データの取得状態を「失敗」に設定するステップ（以下単に「Ｓ」と記す。）１０００と、予め定める所定時間が経過するまで待機するＳ１００１と、Ｓ１００１にて、予め定める所定時間が経過したと判定された場合（ＹＥＳの場合）に実行され、印刷装置１０に対し、画像補正データを取得可能であるか否かを問合せるＳ１００２と、を含む。
【００８５】
このプログラムはさらに、印刷装置１０から送信される応答データを受信するまで待機するＳ１００３と、Ｓ１００３にて、応答データを受信したと判定された場合（ＹＥＳの場合）に実行され、応答データによって示される情報が「送信可能」であるか否かを判定するＳ１００４と、を含む。
【００８６】
このプログラムはさらに、Ｓ１００４にて「送信可能」でないと判定された場合（ＮＯの場合）、すなわち、応答データによって示される情報が「送信不可」である場合に実行され、画像補正データの取得状態を「失敗」に設定するＳ１００５を含む。Ｓ１００５の処理後、制御はＳ１００１に戻る。
【００８７】
このプログラムはさらに、Ｓ１００４にて「送信可能」であると判定された場合（ＹＥＳの場合）に実行され、印刷装置１０に対し、画像補正データの送信を要求する（以下「第１の送信要求」と記す場合がある。）Ｓ１００６と、印刷装置１０から送信される画像補正データを受信するまで待機するＳ１００７と、を含む。
【００８８】
このプログラムはさらに、Ｓ１００７にて、画像補正データを受信したと判定された場合（ＹＥＳの場合）に実行され、画像補正データの取得状態を「成功」に設定するＳ１００８を含む。Ｓ１００８の処理後、制御はＳ１００１に戻る。
【００８９】
（送信可否情報の送信処理）  
送信可否情報の送信処理を実現するためのプログラムは、印刷装置１０の電源が投入されることによって起動され、電源が切られることによって終了する。
【００９０】
図６を参照して、このプログラムは、通信端末１２から送信される、画像補正データを取得可能であるか否かの問合せを受信するまで待機するＳ２０００と、Ｓ２０００にて、問合せを受信したと判定された場合（ＹＥＳの場合）に実行され、印刷装置１０の状態が、通信端末１２に対する画像補正データの送信が可能な状態であるか否かを判定するＳ２００１と、を含む。
【００９１】
このプログラムはさらに、Ｓ２００１にて、画像補正データの送信が可能な状態であると判定された場合（ＹＥＳの場合）に実行され、印刷装置１０の状態が画像補正データの送信が可能な状態であるか否かを示す情報（以下「送信可否情報」と記す。）を「送信可能」に設定するＳ２００２と、Ｓ２００１にて、画像補正データの送信が不可能な状態であると判定された場合（ＮＯの場合）に実行され、送信可否情報を「送信不可」に設定するＳ２００３と、を含む。本実施の形態において、画像補正データの送信が可能な状態とは、通常モード及び第１の省エネモードを示し、画像補正データの送信が不可能な状態とは、第２の省エネモードを示す。
【００９２】
このプログラムはさらに、Ｓ２００２又はＳ２００３にて設定した送信可否情報を、応答データとして、通信端末１２に対して送信するＳ２００４と、予め定める所定時間内に、通信端末１２から送信される第１の送信要求を受信したか否かを判定するＳ２００５と、Ｓ２００５にて、予め定める所定時間内に第１の送信要求を受信したと判定された場合（ＹＥＳの場合）に実行され、メインコントローラ２４に対して画像補正データを送信することを要求するリクエストコマンドを送信することで、メインコントローラ２４に対し、ＬＡＮ  Ｉ／Ｆ３８を介して、通信端末１２に対して画像補正データを送信する処理を実行させるＳ２００６と、を含む。Ｓ２００６の処理後、又は、Ｓ２００５にて、予め定める所定時間内に第１の送信要求を受信しないと判定された場合（ＮＯの場合）には、制御はＳ２０００に戻る。
【００９３】
（印刷データ生成処理）  
印刷データ生成処理を実現するためのプログラムは、「Ｍｉｃｒｏｓｏｆｔ  Ｏｆｆｉｃｅ  Ｗｏｒｄ（登録商標）」等のアプリケーションソフトから、印刷データの生成を要求する指示がなされることによって起動される。
【００９４】
図７を参照して、このプログラムは、印刷データの生成を開始するＳ３０００と、印刷データの生成を開始した時点での、画像補正データの取得状態が「成功」であるか否かを判定するＳ３００１と、を含む。
【００９５】
このプログラムはさらに、Ｓ３００１にて、画像補正データの取得状態が「成功」ではないと判定された場合（ＮＯの場合）、すなわち「失敗」である場合に実行され、印刷装置１０に対し、画像補正データの送信を要求する（以下「第２の送信要求」と記す場合がある。）Ｓ３００２と、印刷装置１０から送信される画像補正データを受信するまで待機するＳ３００３と、を含む。
【００９６】
このプログラムはさらに、Ｓ３００３にて、画像補正データを受信したと判定された場合（ＹＥＳの場合）に実行され、画像補正データの取得状態を「成功」に設定するＳ３００４と、Ｓ３００１にて、画像補正データの取得状態が「成功」であると判定された場合（ＹＥＳの場合）、又は、Ｓ３００４の処理後に実行され、受信した画像補正データに基づく画像補正処理を行なって印刷データを生成するＳ３００５と、印刷装置１０に対し、生成された印刷データを送信するＳ３００６と、を含む。
【００９７】
（画像補正データ送信処理）  
画像補正データ送信処理を実現するためのプログラムは、印刷装置１０の電源が投入されることによって起動され、電源が切られることによって終了する。
【００９８】
図８を参照して、このプログラムは、通信端末１２から送信される第２の送信要求を受信するまで待機するＳ４０００と、Ｓ４０００にて、第２の送信要求を受信したと判定された場合（ＹＥＳの場合）に実行され、印刷装置１０の状態が、通信端末１２に対する画像補正データの送信が可能な状態であるか否かを判定するＳ４００１と、を含む。
【００９９】
このプログラムはさらに、Ｓ４００１にて、画像補正データの送信が可能な状態ではないと判定された場合（ＮＯの場合）に実行され、印刷装置１０の状態を、画像補正データの送信が可能な状態に遷移させるＳ４００２と、Ｓ４００１にて、画像補正データの送信が可能な状態であると判定された場合（ＹＥＳの場合）、又は、Ｓ４００２の処理後に実行され、メインコントローラ２４に対して画像補正データを送信することを要求するリクエストコマンドを送信することで、メインコントローラ２４に対し、ＬＡＮ  Ｉ／Ｆ３８を介して、通信端末１２に対して画像補正データを送信する処理を実行させるＳ４００３と、を含む。Ｓ４００３の処理後、制御はＳ４０００に戻る。
【０１００】
（印刷処理）  
印刷処理を実現するためのプログラムは、印刷装置１０の電源が投入されることによって起動され、電源が切られることによって終了する。
【０１０１】
図９を参照して、このプログラムは、印刷データを受信するまで待機するＳ５０００と、Ｓ５０００にて、印刷データを受信したと判定された場合（ＹＥＳの場合）に実行され、印刷部３４に対し、受信した印刷データに基づく画像の印刷を実行させるＳ５００１と、を含む。Ｓ５００１の処理後、制御はＳ５０００に戻る。
【０１０２】
〈動作〉  
図１〜図９を参照して、本実施の形態に係る印刷装置１０及び通信端末１２は、以下のように動作する。なお、以下の動作を除く、印刷装置１０及び通信端末１２の一般的な機能を実現するための動作は、従来の印刷装置及び通信端末の動作と同じである。また、以下の動作において、印刷装置１０は電源が投入された状態であるものとする。
【０１０３】
ユーザは、通信端末１２の電源を投入する。電源が投入されると、通信端末１２において、情報取得部３００は、画像補正データの取得状態を「失敗」に設定し（Ｓ１０００）、予め定める所定時間が経過するまで待機する（Ｓ１００１）。そして、予め定める所定時間が経過すると（Ｓ１００１にてＹＥＳ）、情報取得部３００は、ＬＡＮ  Ｉ／Ｆ１１８を介して、印刷装置１０に対し、画像補正データを取得可能であるか否かを問合せる（Ｓ１００２）。この問合せは、例えば、ＳＮＭＰによるＭＩＢ取得によって行なわれる。問合せ後、情報取得部３００は、印刷装置１０から送信される応答データを受信するまで待機する（Ｓ１００３）。
【０１０４】
印刷装置１０において、情報通信部２０２は、ＬＡＮ  Ｉ／Ｆ３８を介して、通信端末１２から送信される問合せを受信すると（Ｓ２０００にてＹＥＳ）、印刷装置１０の状態が、通信端末１２に対する画像補正データの送信が可能な状態であるか否かを判定する（Ｓ２００１）。この判定は、情報通信部２０２が状態管理部２０８に対して印刷装置１０の状態を問合せることによって得られる、その問合せに対する応答結果に基づいて行なわれる。
【０１０５】
情報通信部２０２は、印刷装置１０の状態が、画像補正データの送信が可能な状態、すなわち、通常モード又は第１の省エネモードであると判定した場合には（Ｓ２００１にてＹＥＳ）、送信可否情報を「送信可能」に設定する（Ｓ２００２）。「送信可能」の設定後、情報通信部２０２は、ＬＡＮ  Ｉ／Ｆ３８を介して、設定した送信可否情報を、応答データとして、通信端末１２に対して送信する（Ｓ２００４）。
【０１０６】
一方、情報通信部２０２は、印刷装置１０の状態が、画像補正データの送信が不可能な状態、すなわち、第２の省エネモードであると判定した場合には（Ｓ２００１にてＮＯ）、送信可否情報を「送信不可」に設定する（Ｓ２００３）。「送信不可」の設定後、情報通信部２０２は、ＬＡＮ  Ｉ／Ｆ３８を介して、設定した送信可否情報を、応答データとして、通信端末１２に対して送信する（Ｓ２００４）。
【０１０７】
通信端末１２において、情報取得部３００は、印刷装置１０から送信される応答データを受信すると（Ｓ１００３にてＹＥＳ）、応答データによって示される情報が「送信可能」であるか否かを判定する（Ｓ１００４）。
【０１０８】
情報取得部３００は、応答データによって示される情報が「送信可能」であると判定した場合には（Ｓ１００４にてＹＥＳ）、印刷装置１０に対し、ＬＡＮ  Ｉ／Ｆ１１８を介して、第１の送信要求を送信する（Ｓ１００６）。この要求は、例えば、ＳＯＡＰやＴＣＰ／ＩＰ等のプロトコルを利用して行なわれる。第１の送信要求後、情報取得部３００は、印刷装置１０から送信される画像補正データを受信するまで待機する（Ｓ１００７）。
【０１０９】
印刷装置１０において、情報通信部２０２は、ＬＡＮ  Ｉ／Ｆ３８を介して、予め定める所定時間内に第１の送信要求を受信すると（Ｓ２００５にてＹＥＳ）、メインコントローラ２４に対して画像補正データを送信することを要求するリクエストコマンドを送信することで、メインコントローラ２４に対し、ＬＡＮ  Ｉ／Ｆ３８を介して、通信端末１２に対して画像補正データを送信する処理を実行させる（Ｓ２００６）。なお、情報通信部２０２は、送信すべき画像補正データを、画像補正データ生成部２０４から取得するものとする。
【０１１０】
通信端末１２において、情報取得部３００は、ＬＡＮ  Ｉ／Ｆ１１８を介して、画像補正データを受信すると（Ｓ１００７にてＹＥＳ）、画像補正データの取得状態を「成功」に設定する（Ｓ１００８）。一方、情報取得部３００は、応答データによって示される情報が「送信不可」であると判定した場合には（Ｓ１００４にてＮＯ）、画像補正データの取得状態を「失敗」に設定する（Ｓ１００５）。
【０１１１】
上記のようにして、通信端末１２は、定期的に画像補正データの取得要求を行ない、印刷装置１０は、印刷装置１０の状態が通常モード又は第１の省エネモードである場合には、通信端末１２に対し、画像補正データの送信を行なう。
【０１１２】
ユーザは、通信端末１２の操作部１１４に対する入力操作によって、「Ｍｉｃｒｏｓｏｆｔ  Ｏｆｆｉｃｅ  Ｗｏｒｄ（登録商標）」等のアプリケーションソフトを使用して、印刷データの生成を要求する指示を出す。上記した指示がなされると、通信端末１２において、印刷データ生成部３０２は、印刷データの生成を開始する（Ｓ３０００）。印刷データの生成が開始されると、情報取得部３００は、印刷データ生成部３０２の指示に従って、印刷データの生成を開始した時点での、画像補正データの取得状態が「成功」であるか否かを判定する（Ｓ３００１）。
【０１１３】
（画像補正データの取得状態が「失敗」である場合）  
情報取得部３００は、画像補正データの取得状態が「成功」ではないと判定した場合（Ｓ３００１にてＮＯ）、すなわち「失敗」である場合には、印刷装置１０に対し、ＬＡＮ  Ｉ／Ｆ１１８を介して、第２の送信要求を送信し（Ｓ３００２）、印刷装置１０から送信される画像補正データを受信するまで待機する（Ｓ３００３）。
【０１１４】
印刷装置１０において、情報通信部２０２は、ＬＡＮ  Ｉ／Ｆ３８を介して、通信端末１２から送信される第２の送信要求を受信し（Ｓ４０００にてＹＥＳ）、通信端末１２に対する画像補正データの送信が可能な状態であるか否かを判定する（Ｓ４００１）。
【０１１５】
情報通信部２０２によって、印刷装置１０の状態が、画像補正データの送信が不可能な状態、すなわち、第２の省エネモードであると判定された場合（Ｓ４００１にてＮＯ）には、状態管理部２０８は、印刷装置１０の状態を、画像補正データの送信が可能な状態、すなわち、通常モード又は第１の省エネモードに遷移させる（Ｓ４００２）。遷移後、情報通信部２０２は、メインコントローラ２４に対して画像補正データを送信することを要求するリクエストコマンドを送信することで、メインコントローラ２４に対し、ＬＡＮ  Ｉ／Ｆ３８を介して、通信端末１２に対して画像補正データを送信する処理を実行させる（Ｓ４００３）。
【０１１６】
一方、情報通信部２０２によって、印刷装置１０の状態が、画像補正データの送信が可能な状態である、すなわち、通常モード又は第１の省エネモードであると判定された場合（Ｓ４００１にてＹＥＳ）には、状態管理部２０８による印刷装置１０の状態遷移は行なわれず、情報通信部２０２は、メインコントローラ２４に対して画像補正データを送信することを要求するリクエストコマンドを送信することで、メインコントローラ２４に対し、ＬＡＮ  Ｉ／Ｆ３８を介して、通信端末１２に対して画像補正データを送信する処理を実行させる（Ｓ４００３）。なお、情報通信部２０２は、送信すべき画像補正データを、画像補正データ生成部２０４から取得するものとする。
【０１１７】
通信端末１２において、情報取得部３００は、ＬＡＮ  Ｉ／Ｆ１１８を介して、画像補正データを受信し（Ｓ３００３にてＹＥＳ）、画像補正データの取得状態を「成功」に設定する（Ｓ３００４）。
【０１１８】
印刷データ生成部３０２は、情報取得部３００にて「成功」が設定されたことに応答して、受信した画像補正データに基づく画像補正処理を行なって印刷データを生成し（Ｓ３００５）、生成した印刷データを、ＬＡＮ  Ｉ／Ｆ１１８を介して、印刷装置１０に対して送信する（Ｓ３００６）。
【０１１９】
印刷装置１０において、印刷データ受信部２０６は、ＬＡＮ  Ｉ／Ｆ３８を介して、通信端末１２から送信される印刷データを受信する（Ｓ５０００にてＹＥＳ）。印刷データの受信後、印刷制御部２１０は、印刷部３４に対し、受信した印刷データに基づく印刷処理を実行させる（Ｓ５００１）。
【０１２０】
（画像補正データの取得状態が「成功」である場合）  
情報取得部３００は、画像補正データの取得状態が「成功」であると判定した場合には（Ｓ３００１にてＹＥＳ）、最後に受信した画像補正データに基づく画像補正処理を行なって印刷データを生成し（Ｓ３００５）、生成した印刷データを、ＬＡＮ  Ｉ／Ｆ１１８を介して、印刷装置１０に対して送信する（Ｓ３００６）。
【０１２１】
印刷装置１０において、印刷データ受信部２０６は、ＬＡＮ  Ｉ／Ｆ３８を介して、通信端末１２から送信される印刷データを受信する（Ｓ５０００にてＹＥＳ）。印刷データの受信後、印刷制御部２１０は、印刷部３４に対し、受信した印刷データに基づく印刷処理を実行させる（Ｓ５００１）。
【０１２２】
上記のようにして、通信端末１２によって定期的に行なわれる画像補正データの取得が失敗した状態である場合には、印刷装置１０は、通信端末１２が印刷データの生成を行なう際に、通信端末１２に対して画像補正データの送信を行なう。このとき、印刷装置１０は、印刷装置１０の状態が第２の省エネモードである場合には、印刷装置１０の状態を、通常モード又は第１の省エネモードに遷移させた後に画像補正データを送信する。
【０１２３】
［第２の実施の形態］  
本発明の第２の実施の形態に係る印刷システム１は、印刷データ処理及び画像補正データ送信処理を実現するためのプログラムが異なる点を除いて、上記第１の実施の形態に係る印刷システム１と同一の構成である。以下、異なる構成のみについて説明する。
【０１２４】
〈機能ブロック構成〉  
［印刷装置１０］  
状態管理部２００は、後述する画像補正データ送信処理のＳ７００２（図１１参照）を実行する。情報通信部２０２は、後述する画像補正データ送信処理のＳ７０００，Ｓ７００１，Ｓ７００３、及びＳ７００４（図１１参照）の処理を実行する。
【０１２５】
［通信端末１２］  
情報取得部３００は、後述する印刷データ生成処理のＳ６００１〜Ｓ６００５（図１０参照）を実行する。印刷データ生成部３０２は、後述する印刷データ生成処理のＳ６０００，Ｓ６００６，及びＳ６００７（図１０参照）を実行する。
【０１２６】
〈ソフトウェア構成〉  
（印刷データ生成処理）  
図１０を参照して、印刷データ生成処理を実現するためのプログラムにおいて、Ｓ６０００，Ｓ６００１，ｓ６００３〜Ｓ６００７の処理は、図７に示すＳ３０００〜Ｓ３００６の処理と同じである。以下、Ｓ６００２の処理について説明する。
【０１２７】
このプログラムはさらに、Ｓ６００１にて、画像補正データの取得状態が「成功」ではないと判定された場合（ＮＯの場合）、すなわち「失敗」である場合に実行され、印刷装置１０に対し、印刷装置１０の状態を画像補正データの送信が可能な状態に遷移させることを要求する命令を送信するＳ６００２を含む。
【０１２８】
（画像補正データ送信処理）  
画像補正データ送信処理を実現するためのプログラムは、印刷装置１０の電源が投入されることによって起動され、電源が切られることによって終了する。
【０１２９】
図１１を参照して、このプログラムは、通信端末１２から送信される、印刷装置１０の状態を画像補正データの送信が可能な状態に遷移させることを要求する命令を受信するまで待機するＳ７０００と、Ｓ７０００にて、上記した命令を受信したと判定された場合（ＹＥＳの場合）に実行され、印刷装置１０の状態が、通信端末１２に対する画像補正データの送信が可能な状態であるか否かを判定するＳ７００１と、を含む。
【０１３０】
このプログラムはさらに、Ｓ７００１にて、画像補正データの送信が可能な状態ではないと判定された場合（ＮＯの場合）に実行され、印刷装置１０の状態を、画像補正データの送信が可能な状態に遷移させるＳ７００２と、Ｓ７００１にて、画像補正データの送信が可能な状態であると判定された場合（ＹＥＳの場合）、又は、Ｓ７００２の処理後に実行され、通信端末１２から送信される第２の送信要求を受信するまで待機するＳ７００３と、Ｓ７００３にて、第２の送信要求を受信したと判定された場合（ＹＥＳの場合）に実行され、メインコントローラ２４に対して画像補正データを送信することを要求するリクエストコマンドを送信することで、メインコントローラ２４に対し、ＬＡＮ  Ｉ／Ｆ３８を介して、通信端末１２に対して画像補正データを送信する処理を実行させるＳ７００４と、を含む。Ｓ７００４の処理後、制御はＳ７０００に戻る。
【０１３１】
〈動作〉  
図１０及び図１１を参照して、本実施の形態に係る印刷装置１０及び通信端末１２は、以下のように動作する。なお、以下に示す動作を除く印刷装置１０及び通信端末１２の動作は、上記第１の実施の形態における印刷装置１０及び通信端末１２の動作と同じである。
【０１３２】
ユーザは、通信端末１２の操作部１１４に対する入力操作によって、「Ｍｉｃｒｏｓｏｆｔ  Ｏｆｆｉｃｅ  Ｗｏｒｄ（登録商標）」等のアプリケーションソフトを使用して、印刷データの生成を要求する指示を出す。上記した指示がなされると、通信端末１２において、印刷データ生成部３０２は、印刷データの生成を開始する（Ｓ６０００）。印刷データの生成が開始されると、情報取得部３００は、印刷データ生成部３０２の指示に従って、印刷データの生成を開始した時点での、画像補正データの取得状態が「成功」であるか否かを判定する（Ｓ６００１）。
【０１３３】
（画像補正データの取得状態が「失敗」である場合）  
情報取得部３００は、画像補正データの取得状態が「成功」ではないと判定した場合（Ｓ６００１にてＮＯ）、すなわち「失敗」である場合には、印刷装置１０に対し、ＬＡＮ  Ｉ／Ｆ１１８を介して、印刷装置１０の状態を画像補正データの送信が可能な状態に遷移させることを要求する命令を送信した後（Ｓ６００２）、第２の送信要求を送信し（Ｓ６００３）、印刷装置１０から送信される画像補正データを受信するまで待機する（Ｓ６００４）。
【０１３４】
印刷装置１０において、情報通信部２０２は、ＬＡＮ  Ｉ／Ｆ３８を介して、通信端末１２から送信される上記した命令を受信すると（Ｓ７０００にてＹＥＳ）、印刷装置１０の状態が、通信端末１２に対する画像補正データの送信が可能な状態であるか否かを判定する（Ｓ７００１）。この判定は、情報通信部２０２が状態管理部２０８に対して印刷装置１０の状態を問合せることによって得られる、その問合せに対する応答結果に基づいて行なわれる。
【０１３５】
情報通信部２０２によって、印刷装置１０の状態が、画像補正データの送信が不可能な状態、すなわち、第２の省エネモードであると判定された場合には（Ｓ７００１にてＮＯ）、状態管理部２０８は、印刷装置１０の状態を、画像補正データの送信が可能な状態、すなわち、通常モード又は第１の省エネモードに遷移させる（Ｓ７００２）。状態遷移後、情報通信部２０２は、ＬＡＮ  Ｉ／Ｆ３８を介して、通信端末１２から送信される第２の送信要求を受信したと判定し（Ｓ７００３にてＹＥＳ）、メインコントローラ２４に対して画像補正データを送信することを要求するリクエストコマンドを送信することで、メインコントローラ２４に対し、ＬＡＮ  Ｉ／Ｆ３８を介して、通信端末１２に対して画像補正データを送信する処理を実行させる（Ｓ７００４）。
【０１３６】
一方、情報通信部２０２によって、印刷装置１０の状態が、画像補正データの送信が不可能な状態ではない、すなわち、通常モード又は第１の省エネモードであると判定された場合（Ｓ７００１にてＹＥＳ）には、状態管理部２０８による印刷装置１０の状態遷移は行なわれず、情報通信部２０２は、ＬＡＮ  Ｉ／Ｆ３８を介して、通信端末１２から送信される第２の送信要求を受信したと判定し（Ｓ７００３にてＹＥＳ）、メインコントローラ２４に対して画像補正データを送信することを要求するリクエストコマンドを送信することで、メインコントローラ２４に対し、ＬＡＮ  Ｉ／Ｆ３８を介して、通信端末１２に対して画像補正データを送信する処理を実行させる（Ｓ７００４）。なお、情報通信部２０２は、送信すべき画像補正データを、画像補正データ生成部２０４から取得するものとする。
【０１３７】
通信端末１２において、情報取得部３００は、ＬＡＮ  Ｉ／Ｆ１１８を介して、画像補正データを受信し（Ｓ６００４にてＹＥＳ）、画像補正データの取得状態を「成功」に設定する（Ｓ６００５）。
【０１３８】
印刷データ生成部３０２は、情報取得部３００にて「成功」が設定されたことに応答して、受信した画像補正データに基づいて印刷データを生成し（Ｓ６００６）、生成した印刷データを、ＬＡＮ  Ｉ／Ｆ１１８を介して、印刷装置１０に対して送信する（Ｓ６００７）。
【０１３９】
印刷装置１０において、印刷データ受信部２０６は、ＬＡＮ  Ｉ／Ｆ３８を介して、通信端末１２から送信される印刷データを受信する（Ｓ５０００にてＹＥＳ）。印刷データの受信後、印刷制御部２１０は、印刷部３４に対し、受信した印刷データに基づく印刷処理を実行させる（Ｓ５００１）。
【０１４０】
（画像補正データの取得状態が「成功」である場合）
情報取得部３００は、画像補正データの取得状態が「成功」であると判定した場合には（Ｓ６００１にてＹＥＳ）、最後に受信した画像補正データに基づいて印刷データを生成し（Ｓ６００６）、生成した印刷データを、ＬＡＮ  Ｉ／Ｆ１１８を介して、印刷装置１０に対して送信する（Ｓ６００７）。
【０１４１】
印刷装置１０において、印刷データ受信部２０６は、ＬＡＮ  Ｉ／Ｆ３８を介して、通信端末１２から送信される印刷データを受信する（Ｓ５０００にてＹＥＳ）。印刷データの受信後、印刷制御部２１０は、印刷部３４に対し、受信した印刷データに基づく印刷処理を実行させる（Ｓ５００１）。
【０１４２】
上記のようにして、通信端末１２によって定期的に行なわれる画像補正データの取得が失敗した状態である場合には、印刷装置１０は、通信端末１２が印刷データの生成を行なう際に、通信端末１２に対して画像補正データの送信を行なう。このとき、印刷装置１０は、印刷装置１０の状態が第２の省エネモードである場合には、画像補正データを送信する前に、印刷装置１０の状態を、通常モード又は第１の省エネモードに遷移させる。これによって、印刷装置１０は、第２の送信要求に応答して、画像補正データを迅速に送信することが可能になる。また、Ｓ６００２〜Ｓ６００３の間に、別の処理を実行することが可能になるため、ユーザの利便性が向上する。
【０１４３】
［第３の実施の形態］  
本発明の第３の実施の形態に係る印刷システム１は、画像補正データ取得処理を実現するためのプログラムが異なる点、及び、送信可否情報の送信処理に代えて、後述する無効な画像補正データ送信処理が実行される点を除いて、上記第２の実施の形態に係る印刷システム１と同一の構成である。以下、異なる構成のみについて説明する。
【０１４４】
〈機能ブロック構成〉  
［印刷装置１０］  
情報通信部２０２は、後述する無効な画像補正データ送信処理のＳ９０００〜Ｓ９００４（図１３参照）の処理を実行する。
【０１４５】
［通信端末１２］  
情報取得部３００は、後述する画像補正データ取得処理のＳ８０００〜Ｓ８００７（図１２参照）を実行する。
【０１４６】
〈ソフトウェア構成〉  
（画像補正データ取得処理）  
画像補正データ取得処理を実現するためのプログラムは、通信端末１２の電源が投入されることによって起動され、電源が切られることによって終了する。
【０１４７】
図１２を参照して、このプログラムは、画像補正データの取得状態を「失敗」に設定するＳ８０００と、予め定める所定時間が経過するまで待機するＳ８００１と、Ｓ８００１にて、予め定める所定時間が経過したと判定された場合（ＹＥＳの場合）に実行され、印刷装置１０に対し、第１の送信要求を送信するＳ８００２と、印刷装置１０から送信される画像補正データを受信するまで待機するＳ８００３と、を含む。
【０１４８】
このプログラムはさらに、Ｓ８００３にて、画像補正データを受信したと判定された場合（ＹＥＳの場合）に実行され、画像補正データの解析を行なうＳ８００４と、解析結果に基づいて、画像補正データが有効であるか否かを判定するＳ８００５と、を含む。
【０１４９】
このプログラムはさらに、Ｓ８００５にて、画像補正データが有効であると判定された場合（ＹＥＳの場合）に実行され、画像補正データの取得状態を「成功」に設定するＳ８００６と、Ｓ８００５にて、画像補正データが有効ではないと判定された場合（ＮＯの場合）、すなわち無効である場合に実行され、画像補正データの取得状態を「失敗」に設定するＳ８００７と、を含む。Ｓ８００６及びＳ８００７の処理後、制御はＳ８００１に戻る。
【０１５０】
（無効な画像補正データ送信処理）  
無効な画像補正データ送信処理を実現するためのプログラムは、印刷装置１０の電源が投入されることによって起動され、電源が切られることによって終了する。
【０１５１】
図１３を参照して、このプログラムは、通信端末１２から送信される第１の送信要求を受信するまで待機するＳ９０００と、Ｓ９０００にて、第１の送信要求を受信したと判定された場合（ＹＥＳの場合）に実行され、印刷装置１０の状態が、通信端末１２に対する画像補正データの送信が可能な状態であるか否かを判定するＳ９００１と、を含む。
【０１５２】
このプログラムはさらに、Ｓ９００１にて、印刷装置１０の状態が、画像補正データの送信が可能な状態であると判定された場合（ＹＥＳの場合）に実行され、画像補正データとして、有効なデータを設定するＳ９００２と、Ｓ９００１にて、画像補正データの送信が不可能な状態であると判定された場合（ＮＯの場合）に実行され、画像補正データとして、無効なデータを設定するｓ９００３とを含む。
【０１５３】
このプログラムはさらに、Ｓ９００２の処理後又はＳ９００３の処理後に実行され、通信端末１２に対し、画像補正データを送信するＳ９００４を含む。なお、ｓ９００４において、ｓ９００２の処理後には、情報通信部２０２は、メインコントローラ２４に対して画像補正データを送信することを要求するリクエストコマンドを送信することで、メインコントローラ２４に対し、ＬＡＮ  Ｉ／Ｆ３８を介して、通信端末１２に対して画像補正データを送信する処理を実行させる。一方、ｓ９００３の処理後には、情報処理装置２０２は、通信端末１２に対し、画像補正データを直接送信する。Ｓ９００４の処理後、制御はＳ９０００に戻る。
【０１５４】
本実施の形態において、上記した有効なデータとは、画像補正データ生成部２０４から取得する通常の画像補正データのことである。無効なデータとは、例えば、画素をディザパターンに変換するためのテーブルデータにおける全ての値が０に設定され、ガンマ補正値が０に設定される画像補正データのことである。
【０１５５】
〈動作〉  
図１２及び図１３を参照して、本実施の形態に係る印刷装置１０及び通信端末１２は、以下のように動作する。なお、以下に示す動作を除く印刷装置１０及び通信端末１２の動作は、上記第２の実施の形態における印刷装置１０及び通信端末１２の動作と同じである。
【０１５６】
ユーザは、通信端末１２の電源を投入する。電源が投入されると、通信端末１２において、情報取得部３００は、画像補正データの取得状態を「失敗」に設定し（Ｓ８０００）、予め定める所定時間が経過するまで待機する（Ｓ８００１）。そして、予め定める所定時間が経過すると（Ｓ８００１にてＹＥＳ）、情報取得部３００は、印刷装置１０に対し、ＬＡＮ  Ｉ／Ｆ１１８を介して、第１の送信要求を送信し（Ｓ８００２）、印刷装置１０から送信される画像補正データを受信するまで待機する（Ｓ８００３）。
【０１５７】
印刷装置１０において、情報通信部２０２は、ＬＡＮ  Ｉ／Ｆ３８を介して、第１の送信要求を受信すると（Ｓ９０００にてＹＥＳ）、印刷装置１０の状態が、通信端末１２に対する画像補正データの送信が可能な状態であるか否かを判定する（Ｓ９００１）。この判定は、情報通信部２０２が状態管理部２０８に対して印刷装置１０の状態を問合せることによって得られる、その問合せに対する応答結果に基づいて行なわれる。
【０１５８】
情報通信部２０２は、印刷装置１０の状態が、画像補正データの送信が可能な状態、すなわち、通常モード又は第１の省エネモードであると判定した場合には（Ｓ９００１にてＹＥＳ）、画像補正データとして、有効なデータを設定する（Ｓ９００２）。なお、情報通信部２０２は、送信すべき画像補正データを、画像補正データ生成部２０４から取得するものとする。有効なデータの設定後、情報通信部２０２は、メインコントローラ２４に対して画像補正データを送信することを要求するリクエストコマンドを送信することで、メインコントローラ２４に対し、ＬＡＮ  Ｉ／Ｆ３８を介して、通信端末１２に対して画像補正データを送信する処理を実行させる（Ｓ９００４）。
【０１５９】
一方、情報通信部２０２は、印刷装置１０の状態が、画像補正データの送信が不可能な状態、すなわち、第２の省エネモードであると判定した場合には（Ｓ９００１にてＮＯ）、画像補正データとして、無効なデータを設定する（Ｓ９００３）。このとき、送信される画像補正データは、情報通信部２０２によって生成され、画像補正データ生成部２０４からは取得されない。無効なデータの設定後、情報通信部２０２は、ＬＡＮ  Ｉ／Ｆ３８を介して、画像補正データを、通信端末１２に対して送信する（Ｓ９００４）。
【０１６０】
通信端末１２において、情報取得部３００は、ＬＡＮ  Ｉ／Ｆ１１８を介して、画像補正データを受信すると（Ｓ８００３にてＹＥＳ）、画像補正データの解析を行ない（Ｓ８００４）、解析結果に基づいて、画像補正データが有効であるか否かを判定する（Ｓ８００５）。
【０１６１】
情報取得部３００は、画像補正データが有効であると判定した場合には（Ｓ８００５にてＹＥＳ）、画像補正データの取得状態を「成功」に設定する（Ｓ８００６）。一方、情報取得部３００は、画像補正データが有効でないと判定した場合（Ｓ８００５にてＮＯ）、すなわち、無効である場合には、画像補正データの取得状態を「失敗」に設定する（Ｓ８００７）。
【０１６２】
上記のようにして、通信端末１２は、定期的に画像補正データの取得要求を行ない、印刷装置１０は、印刷装置１０の状態が通常モード又は第１の省エネモードである場合には、通信端末１２に対し、有効な画像補正データの送信を行なう。情報取得部３００は、画像補正データが有効か否かを判断することで、印刷装置１０の状態が、画像補正データを送信可能な状態であるか否かを判断することができる。その結果、印刷装置１０側にて、送信可否情報を「送信可能」又は「送信不可」に設定する処理（Ｓ２０００，Ｓ２００３（図６参照））が不要になり、印刷装置１０の状態を判定するためのコマンド等が不要になるため、印刷装置１０の状態を確認するために必要となる各種処理をより一層簡素化することができる。
【０１６３】
〈作用・効果〉  
上記第１の実施の形態によれば、印刷システム１は、画像補正データに基づく画像補正処理を行なって印刷データを生成する通信端末１２と、印刷データに基づく印刷処理を行なう印刷装置１０と、を含む。通信端末１２において、情報取得部３００は、予め定める所定時間毎に、印刷装置１０に対し、画像補正データを取得可能であるか否かを問合せ、問合せに対する判定結果が、画像補正データを取得可能であることを示す場合に、印刷装置１０から送信される画像補正データを受信し、画像補正データの取得状態を成功に設定する。情報取得部３００はさらに、印刷データの生成を要求する指示を受付けたことに応答して、画像補正データの取得状態が成功であるか否かを判定し、画像補正データの取得状態が成功でないと判定した場合に、印刷装置１０に対して第２の送信要求を送信し、第２の送信要求に応答して印刷装置１０から送信される画像補正データを受信する。印刷装置１０において、情報通信部２０２は、通信端末１２からの問合せを受付けたことに応答して、印刷装置１０の状態が、通常モード又は第１の省エネモードであるか否かを判定し、通常モード又は第１の省エネモードであると判定した場合に、通信端末１２に対し、画像補正データを送信する。情報通信部２０２はさらに、第２の送信要求を受付けたことに応答して、印刷装置１０の状態が、通常モード又は第１の省エネモードであるか否かを判定し、状態管理部２００は、印刷装置１０の状態が第２の省エネモードであると判定された場合に、印刷装置１０の状態を、通常モード又は第１の省エネモードに遷移させる。情報通信部２０２はさらに、印刷装置１０の状態が、通常モード又は第１の省エネモードであると判定された場合、又は、状態の遷移が行なわれた場合に、通信端末１２に対し、画像補正データを送信する。
【０１６４】
このように、通信端末１２によって定期的に行なわれる画像補正データの取得要求がなされた場合、印刷装置１０は、印刷装置１０の状態が、通常モード又は第１の省エネモードである場合には、画像補正データの送信を行なう。したがって、画像補正データを送信するために、その状態の遷移又は解除を行なう必要がなくなる。その結果、どのような状態においても画像補正データを送信する場合と比較して、消費電力を低減することができる。
【０１６５】
また、通信端末１２によって定期的に行なわれる画像補正データの取得が失敗した状態である場合には、印刷装置１０は、通信端末１２が印刷データの生成を行なう際に、通信端末１２に対する画像補正データの送信を行なう。このとき、印刷装置１０は、印刷装置１０の状態が、第２の省エネモードである場合には、印刷装置１０の状態を、通常モード又は第１の省エネモードに遷移させた後に画像補正データを送信する。その結果、通信端末１２は常に、最新の印刷装置の状態に対応する画像補正データに基づいて、印刷データを生成することができる。
【０１６６】
上記第２の実施の形態によれば、通信端末１２において、情報取得部３００は、予め定める所定時間毎に、印刷装置１０に対し、画像補正データを取得可能であるか否かを問合せ、問合せに対する判定結果が、画像補正データを取得可能であることを示す場合に、印刷装置１０から送信される画像補正データを受信し、画像補正データの取得状態を成功に設定する。情報取得部３００はさらに、印刷データの生成を要求する指示を受付けたことに応答して、画像補正データの取得状態が成功であるか否かを判定し、画像補正データの取得状態が成功でないと判定した場合に、印刷装置１０に対し、印刷装置１０の状態を通常モード又は第１の省エネモードに遷移させることを命令した後、第２の送信要求を送信し、第２の送信要求に応答して印刷装置から送信される画像補正データを受信する。印刷装置１０において、情報通信部２０２は、通信端末１２からの問合せを受付けたことに応答して、印刷装置１０の状態が、通常モード又は第１の省エネモードであるか否かを判定し、通常モード又は第１の省エネモードであると判定した場合に、通信端末１２に対し、画像補正データを送信する。情報通信部２０２はさらに、通信端末１２からの命令を受付けると、印刷装置１０の状態が、通常モード又は第１の省エネモードであるか否かを判定し、状態管理部２００は、印刷装置１０の状態が第２の省エネモードであると判定された場合に、印刷装置１０の状態を、通常モード又は第１の省エネモードに遷移させる。情報通信部２０２はさらに、第２の送信要求を受付けたことに応答して、通信端末１２に対し、画像補正データを送信する。
【０１６７】
このように、通信端末１２によって定期的に行なわれる画像補正データの取得要求がなされた場合、印刷装置１０は、印刷装置１０の状態が、通常モード又は第１の省エネモードである場合には、画像補正データの送信を行なう。したがって、画像補正データを送信するために、その状態の遷移又は解除を行なう必要がなくなる。その結果、どのような状態においても画像補正データを送信する場合と比較して、消費電力を低減することができる。
【０１６８】
また、通信端末１２によって定期的に行なわれる画像補正データの取得が失敗した状態である場合には、印刷装置１０は、通信端末１２が印刷データの生成を行なう際に、通信端末１２に対する画像補正データの送信を行なう。このとき、印刷装置１０は、印刷装置１０の状態が、第２の省エネモードである場合には、画像補正データを送信する前に、印刷装置１０の状態を、通常モード又は第１の省エネモードに遷移させる。その結果、通信端末１２は常に、最新の印刷装置の状態に対応する画像補正データに基づいて、印刷データを生成することができる。
【０１６９】
また上記第１及び第２の実施の形態によれば、通信端末１２において、情報取得部３００は、印刷装置１０から送信される問合せに対する判定結果を受付け、受付けた判定結果が、画像補正データを取得可能であることを示す場合に、印刷装置１０に対し、第１の送信要求を送信する。印刷装置１０において、情報通信部２０２は、印刷装置１０の状態が、通常モード又は第１の省エネモードであると判定した場合に、通信端末１２に対し、問合せに対する判定結果として、画像補正データを取得可能であることを示す情報を送信し、第１の送信要求を受付けたことに応答して、通信端末１２に対し、画像補正データを送信する。
【０１７０】
これによって、通信端末１２は、画像補正データを取得可能であるか否かの判定結果をより一層確実に取得することができるので、消費電力をより一層確実に低減することができる。
【０１７１】
また上記第１及び第２の実施の形態によれば、通信端末１２において、情報取得部３００は、問合せに対する判定結果が、画像補正データを取得可能でないことを示す場合に、画像補正データの取得状態を失敗に設定する。印刷装置１０において、情報通信部２０２は、印刷装置１０の状態が第２の省エネモードであると判定された場合に、通信端末１２に対し、問合せに対する判定結果として、画像補正データを取得可能でないことを示す情報を送信する。
【０１７２】
これによって、画像補正データの取得状態が成功であるか否かの判定をより一層正確に行なうことができるようになるので、通信端末１２は、最新の印刷装置の状態に対応する画像補正データをより一層確実に取得できる。
【０１７３】
上記第３の実施の形態によれば、通信端末１２において、情報取得部３００は、予め定める所定時間毎に、印刷装置１０に対して第１の送信要求を送信し、第１の送信要求に応答して印刷装置１０から送信される画像補正データを受信し、受信した画像補正データを解析し、解析結果に基づいて画像補正データが有効であるか否かを判定し、画像補正データが有効であると判定した場合に、画像補正データの取得状態を成功に設定する。情報取得部３００はさらに、印刷データの生成を要求する指示を受付けたことに応答して、画像補正データの取得状態が成功であるか否かを判定し、成功でないと判定した場合に、印刷装置１０に対し、印刷装置１０の状態を通常モード又は第１の省エネモードに遷移させることを命令し、次いで第２の送信要求を送信し、第２の送信要求に応答して印刷装置１０から送信される画像補正データを受信する。印刷装置１０において、情報通信部２０２は、第１の送信要求を受付けたことに応答して、印刷装置１０の状態が通常モード又は第１の省エネモードであるか否かを判定し、印刷装置１０の状態が通常モード又は第１の省エネモードであると判定した場合に、通信端末１２に対し、有効に設定される画像補正データを送信する。情報通信部２０２はさらに、通信端末１２からの命令を受付けたことに応答して、印刷装置１０の状態が通常モード又は第１の省エネモードであるか否かを判定し、状態管理部２００は、印刷装置１０の状態が第２の省エネモードであると判定された場合に、印刷装置１０の状態を通常モード又は第１の省エネモードに遷移させる。情報通信部２０２はさらに、第２の送信要求を受付けたことに応答して、通信端末１２に対し、画像補正データを送信する。
【０１７４】
このように、通信端末１２によって定期的に行なわれる画像補正データの取得要求がなされた場合、印刷装置１０は、印刷装置１０の状態が通常モード又は第１の省エネモードである場合には、有効に設定される画像補正データの送信を行なう。したがって、画像補正データを送信するために、その状態の遷移又は解除を行なう必要がなくなる。その結果、どのような状態においても画像補正データを送信する場合と比較して、消費電力を低減することができる。
【０１７５】
また、通信端末１２によって定期的に行なわれる画像補正データの取得が失敗した状態である場合には、印刷装置１０は、通信端末が印刷データの生成を行なう際に、通信端末１２に対する画像補正データの送信を行なう。このとき、印刷装置１０は、印刷装置１０の状態が第２の省エネモードである場合には、画像補正データを送信する前に、印刷装置１０の状態を通常モード又は第１の省エネモードに遷移させる。その結果、通信端末１２は常に、最新の印刷装置の状態に対応する画像補正データに基づいて、印刷データを生成することができる。
【０１７６】
また上記第３の実施の形態によれば、印刷装置１０において、情報通信部２０２は、印刷装置１０の状態が第２の省エネモードである場合に、通信端末１２に対し、無効に設定される画像補正データを送信する。通信端末１２において、情報取得部３００は、画像補正データが有効でないと判定した場合に、画像補正データの取得状態を失敗に設定する。
【０１７７】
これによって、画像補正データの取得状態が成功であるか否かの判定をより一層正確に行なうことができるようになるので、通信端末１２は、最新の印刷装置の状態に対応する画像補正データをより一層確実に取得できる。
【０１７８】
また上記第１〜第３の実施の形態によれば、通常モード又は第１の省エネモードとは、画像補正データの送信処理を実行するためのメインコントローラ２４に対する電力の供給が行なわれている状態であり、第２の省エネモードとは、メインコントローラ２４に対する電力の供給が行なわれていない状態である。これによって、消費電力をさらに低減することができる。
【０１７９】
〈変形例〉  
なお、上記実施の形態において、印刷装置１０はＭＦＰであったが、本発明はそのような実施の形態に限定されず、例えば、プリンタであってもよい。
【０１８０】
また上記第３の実施の形態では、印刷データ生成処理及び画像補正データ送信処理は、第２の実施の形態と同じものが使用されたが、本発明はそのような実施の形態に限定されず、第１の実施の形態と同じものが使用されてもよい。
【０１８１】
また、上記した第２の画像補正データ処理において、状態管理部２００は、印刷装置１０の状態を通常モード又は第１の省エネモードに遷移させたが、本発明はそのような実施の形態に限定されず、例えば通常モードのみに遷移させてもよい。一般的に、印刷装置１０において、状態の遷移には約１５秒の時間を要する。したがって、上記したように、通信端末１２による印刷データの生成時に、印刷装置１０の状態を予め通常モードに遷移させておくことによって、印刷処理実行時における印刷時間を短縮することができる。
【０１８２】
今回開示された実施の形態は単に例示であって、この発明が上記した実施の形態のみに制限されるわけではない。この発明の範囲は、発明の詳細な説明の記載を参酌した上で、特許請求の範囲の各請求項によって示され、そこに記載された文言と均等の意味及び範囲内での全ての変更を含む。
【符号の説明】
【０１８３】
１  印刷システム
１０  印刷装置
１２  通信端末
３８，１１８  ＬＡＮ  Ｉ／Ｆ
２００  状態管理部
２０２  情報通信部
２０４  画像補正データ生成部
２０６  印刷データ受信部
２１０  印刷制御部
３００  情報取得部
３０２  印刷データ生成部
【図１】
2012027638.tif 000003
【図２】
2012027638.tif 000004
【図３】
2012027638.tif 000005
【図４】
2012027638.tif 000006
【図５】
2012027638.tif 000007
【図６】
2012027638.tif 000008
【図７】
2012027638.tif 000009
【図８】
2012027638.tif 000010
【図９】
2012027638.tif 000011
【図１０】
2012027638.tif 000012
【図１１】
2012027638.tif 000013
【図１２】
2012027638.tif 000014
【図１３】
2012027638.tif 000015